(57)【要約】情報記録媒体に格納された画像のタイプと、表示装置の表示機能情報に応じて、記録媒体から表示可能な画像を取得して表示装置に出力する。情報記録媒体からのデータ再生を実行するデータ処理部が、再生データ表示処理を行なう表示装置から、表示可能なＶＲ画像のタイプ情報等の画像表示機能情報を入力し、情報記録媒体に記録されたデータベースファイルから、情報記録媒体に、タイプ１のＶＲ画像、タイプ２のＶＲ画像、ＶＲ画像ではない非ＶＲ各画像のどの画像が含まれるか否かを示すＶＲ識別情報を取得し、取得した表示装置機能情報とＶＲ識別情報との対比結果に基づいて、表示装置において表示可能な画像データを情報記録媒体から読み取り、表示装置に出力する。
2017145721.tif 000002
【特許請求の範囲】
【請求項１】
情報記録媒体の記録データの再生処理を実行するデータ処理部を有し、
前記データ処理部は、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理装置。
【請求項２】
前記表示装置情報は、
画像タイプの異なるタイプ１のＶＲ画像とタイプ２のＶＲ画像、さらに、ＶＲ画像ではない非ＶＲ画像各々についての表示機能を表示装置が有するか否かの情報を含む情報であり、
前記ＶＲ識別情報は、
前記情報記録媒体に、タイプ１のＶＲ画像、タイプ２のＶＲ画像、ＶＲ画像ではない非ＶＲ画像のいずれのタイプの画像データが記録されているかを示す情報を含む情報であり、
前記データ処理部は、
前記表示装置情報と、前記ＶＲ識別情報との対比結果に基づいて、前記表示装置に表示可能なＶＲ画像、またはＶＲ画像ではない非ＶＲ画像のいずれかを出力する請求項１に記載の情報処理装置。
【請求項３】
前記データ処理部は、
前記表示装置情報に基づいて、前記表示装置がＶＲ画像ではない非ＶＲ画像のみ表示可能な表示装置であることが確認され、
前記ＶＲ識別情報に基づいて、情報記録媒体に記録された画像がＶＲ画像であることが確認された場合、
情報記録媒体から読み取ったＶＲ画像を非ＶＲ画像に変換して前記表示装置に出力する請求項１に記載の情報処理装置。
【請求項４】
前記データ処理部は、
記憶部に格納された画像変換機能情報を参照して、情報記録媒体に記録されたＶＲ画像を非ＶＲ画像に変換可能か否かを確認し、変換可能であることが確認された場合に、情報記録媒体から読み取ったＶＲ画像を非ＶＲ画像に変換して前記表示装置に出力する請求項３に記載の情報処理装置。
【請求項５】
前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである請求項１に記載の情報処理装置。
【請求項６】
前記データ処理部は、
前記情報記録媒体に記録された画像データの表示処理に適用する再生データ情報を前記表示装置に送信する構成であり、
前記再生データ情報には、再生画像データがタイプ１のＶＲ画像、タイプ２のＶＲ画像、ＶＲ画像ではない非ＶＲ画像のいずれのタイプの画像データであるかを示すＶＲ識別情報を含む請求項１に記載の情報処理装置。
【請求項７】
情報記録媒体に対するデータ記録を実行するデータ処理部を有し、
前記データ処理部は、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理装置。
【請求項８】
前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである請求項７に記載の情報処理装置。
【請求項９】
前記データ処理部は、
インデックスファイルには、情報記録媒体の記録データ全体に関するＶＲ識別情報を記録し、
プレイリストファイルには、プレイリストファイルによる再生対象データ単位のＶＲ識別情報を記録し、
クリップ情報ファイルには、クリップ情報ファイルに対応付けられた再生データ単位のＶＲ識別情報を記録する請求項８に記載の情報処理装置。
【請求項１０】
画像データを格納した再生データファイルと、
前記再生データファイルに格納された画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを記録データとして含み、
再生装置が、前記ＶＲ識別情報を参照して、再生データを表示する表示装置の表示機能に適合したタイプの画像データを選択再生することを可能とした情報記録媒体。
【請求項１１】
前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである請求項１０に記載の情報記録媒体。
【請求項１２】
前記インデックスファイルは、情報記録媒体の記録データ全体に関するＶＲ識別情報を格納し、
前記プレイリストファイルは、プレイリストファイルによる再生対象データ単位のＶＲ識別情報を格納し、
クリップ情報ファイルは、クリップ情報ファイルに対応付けられた再生データ単位のＶＲ識別情報を格納した構成である請求項１１に記載の情報記録媒体。
【請求項１３】
情報記録媒体の記録データの再生処理を実行する再生装置とのデータ送受信を実行する通信部と、
データ処理部を有し、
前記データ処理部は、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する表示装置。
【請求項１４】
前記表示装置情報は、
画像タイプの異なるタイプ１のＶＲ画像とタイプ２のＶＲ画像、さらに、ＶＲ画像ではない非ＶＲ画像各々についての表示機能を表示装置が有するか否かの情報を含む情報である請求項１３に記載の表示装置。
【請求項１５】
情報処理装置において実行する情報処理方法であり、
前記情報処理装置は、情報記録媒体の記録データの再生処理を実行するデータ処理部を有し、
前記データ処理部が、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理方法。
【請求項１６】
情報処理装置において実行する情報処理方法であり、
前記情報処理装置は、情報記録媒体に対するデータ記録を実行するデータ処理部を有し、
前記データ処理部が、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理方法。
【請求項１７】
表示装置において実行する情報処理方法であり、
前記表示装置は、情報記録媒体の記録データの再生処理を実行する再生装置とのデータ送受信を実行する通信部と、
データ処理部を有し、
前記データ処理部が、
異なる方向の画像を選択的に表示可能としたＶＲ（Ｖｉｒｔｕａｌ  Ｒｅａｌｉｔｙ）画像の表示機能情報を含む表示装置情報を生成して、前記再生装置に出力する情報処理方法。
【請求項１８】
情報処理装置において情報処理を実行させるプログラムであり、
前記情報処理装置は、情報記録媒体の記録データの再生処理を実行するデータ処理部を有し、
前記プログラムは、前記データ処理部に、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力する処理と、
前記情報記録媒体に記録されたデータベースファイルから、情報記録媒体に記録された画像データにＶＲ画像が含まれるか否かを示すＶＲ識別情報を取得する処理と、
前記表示装置情報と、前記ＶＲ識別情報との対比結果に基づいて、前記表示装置に表示可能な画像データを前記情報記録媒体から読み取り、前記表示装置に出力する処理を実行させるプログラム。
【請求項１９】
情報処理装置において情報処理を実行させるプログラムであり、
前記情報処理装置は、情報記録媒体に対するデータ記録を実行するデータ処理部を有し、
前記プログラムは、前記データ処理部に、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する処理を実行させるプログラム。
【請求項２０】
表示装置において情報処理を実行させるプログラムであり、
前記表示装置は、情報記録媒体の記録データの再生処理を実行する再生装置とのデータ送受信を実行する通信部と、
データ処理部を有し、
前記プログラムは、前記データ処理部に、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する処理を実行させるプログラム。
【発明の詳細な説明】
【技術分野】
【０００１】
本開示は、情報処理装置、表示装置、情報記録媒体、および情報処理方法、並びにプログラムに関する。さらに詳細には、全天球画像や全方位画像、あるいはパノラマ画像等、様々な方向の画像を観察可能な画像を、表示装置の機能や画像タイプに応じて、表示装置に正しく表示するための制御を行う情報処理装置、表示装置、情報記録媒体、および情報処理方法、並びにプログラムに関する。
【背景技術】
【０００２】
昨今、全天球画像や全方位画像、あるいはパノラマ画像等、様々な方向の画像を撮影可能な撮像装置が開発され、このような撮像装置を用いて撮影された画像をＰＣや、タブレット端末、携帯端末、あるいはヘッド・マウント・ディスプレイ（ＨＭＤ）等の表示部に表示し、ユーザによる選択画像、あるいはユーザの向きに応じて自動選択された画像を観察可能としたシステムが広く利用されている。【０００３】
例えば、ＰＣ等において、周囲３６０度の全方位画像の映像（動画像）データを外部サーバから取得、あるいは記録メディアから読み出して表示装置に表示させることができる。ユーザは、任意方向の画像を選択して表示装置に表示可能であり、自由に視点を変えて動画像や静止画等の画像を観察することができる。【０００４】
ＰＣやタブレット端末、あるいは携帯端末の表示部に表示した画像は、ユーザによるマウス操作、あるいはタッチパネルに対するスライド処理や、フリック処理などによって観察方向を移動させて表示可能であり、ユーザは、容易に様々な方向の画像を楽しむことができる。【０００５】
ヘッド・マウント・ディスプレイ（ＨＭＤ）に画像を表示する場合は、ＨＭＤに搭載した頭部の動きや方向を検出するセンサ情報に応じて、ユーザの頭の向きに応じた画像を表示可能であり、ユーザは、あたかもＨＭＤの表示部に表示された画像の中に存在しているような感覚を味わうことができる。【０００６】
これら全天球画像や全方位画像、あるいはパノラマ画像は、撮影された様々な方向の画像の中から一部の画像のみを切り出して表示装置の表示部に表示する処理が行われる。
なお、画像処理により表示範囲を変更する処理を開示した従来技術として特許文献１（特開２０１４−１２７００１号公報）がある。【０００７】
現在、全天球画像や全方位画像、あるいはパノラマ画像を記録、表示するための画像記録や再生処理の方式として様々な方式が混在する。
従って、例えばある１つの方式（方式Ａ）のパノラマ画像データがディスクに記録されており、再生装置がこの方式Ａのパノラマ画像データをディスクから読み取り、表示装置に出力した場合、その表示装置が方式Ａのパノラマ画像データの表示プログラム（表示アプリケーション）を有していない場合は、そのパノラマ画像の表示ができないという問題が発生する。
【先行技術文献】
【特許文献】
【０００８】
【特許文献１】特開２０１４−１２７００１号公報
【発明の概要】
【発明が解決しようとする課題】
【０００９】
本開示は、例えば上記問題点に鑑みてなされたものであり、全天球画像や全方位画像、あるいはパノラマ画像等、様々な方向の画像を観察可能な画像を、表示装置の機能や画像タイプに応じて、表示装置に正しく表示するための制御を行う情報処理装置、表示装置、情報記録媒体、および情報処理方法、並びにプログラムを提供することを目的とする。
【課題を解決するための手段】
【００１０】
本開示の第１の側面は、
情報記録媒体の記録データの再生処理を実行するデータ処理部を有し、
前記データ処理部は、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理装置にある。【００１１】
さらに、本開示の第２の側面は、
情報記録媒体に対するデータ記録を実行するデータ処理部を有し、
前記データ処理部は、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理装置にある。【００１２】
さらに、本開示の第３の側面は、
画像データを格納した再生データファイルと、
前記再生データファイルに格納された画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを記録データとして含み、
再生装置が、前記ＶＲ識別情報を参照して、再生データを表示する表示装置の表示機能に適合したタイプの画像データを選択再生することを可能とした情報記録媒体にある。【００１３】
さらに、本開示の第４の側面は、
情報記録媒体の記録データの再生処理を実行する再生装置とのデータ送受信を実行する通信部と、
データ処理部を有し、
前記データ処理部は、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する表示装置にある。【００１４】
さらに、本開示の第５の側面は、
情報処理装置において実行する情報処理方法であり、
前記情報処理装置は、情報記録媒体の記録データの再生処理を実行するデータ処理部を有し、
前記データ処理部が、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理方法にある。【００１５】
さらに、本開示の第６の側面は、
情報処理装置において実行する情報処理方法であり、
前記情報処理装置は、情報記録媒体に対するデータ記録を実行するデータ処理部を有し、
前記データ処理部が、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理方法にある。【００１６】
さらに、本開示の第７の側面は、
表示装置において実行する情報処理方法であり、
前記表示装置は、情報記録媒体の記録データの再生処理を実行する再生装置とのデータ送受信を実行する通信部と、
データ処理部を有し、
前記データ処理部が、
異なる方向の画像を選択的に表示可能としたＶＲ（Ｖｉｒｔｕａｌ  Ｒｅａｌｉｔｙ）画像の表示機能情報を含む表示装置情報を生成して、前記再生装置に出力する情報処理方法にある。【００１７】
さらに、本開示の第８の側面は、
情報処理装置において情報処理を実行させるプログラムであり、
前記情報処理装置は、情報記録媒体の記録データの再生処理を実行するデータ処理部を有し、
前記プログラムは、前記データ処理部に、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力する処理と、
前記情報記録媒体に記録されたデータベースファイルから、情報記録媒体に記録された画像データにＶＲ画像が含まれるか否かを示すＶＲ識別情報を取得する処理と、
前記表示装置情報と、前記ＶＲ識別情報との対比結果に基づいて、前記表示装置に表示可能な画像データを前記情報記録媒体から読み取り、前記表示装置に出力する処理を実行させるプログラムにある。【００１８】
さらに、本開示の第９の側面は、
情報処理装置において情報処理を実行させるプログラムであり、
前記情報処理装置は、情報記録媒体に対するデータ記録を実行するデータ処理部を有し、
前記プログラムは、前記データ処理部に、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する処理を実行させるプログラムにある。【００１９】
さらに、本開示の第１０の側面は、
表示装置において情報処理を実行させるプログラムであり、
前記表示装置は、情報記録媒体の記録データの再生処理を実行する再生装置とのデータ送受信を実行する通信部と、
データ処理部を有し、
前記プログラムは、前記データ処理部に、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する処理を実行させるプログラムにある。【００２０】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２１】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２２】
本開示の一実施例の構成によれば、情報記録媒体に格納された画像のタイプと、表示装置の表示機能情報に応じて、記録媒体から表示可能な画像を取得して表示装置に出力する。
具体的には、情報記録媒体からのデータ再生を実行するデータ処理部が、再生データ表示処理を行なう表示装置から、表示可能なＶＲ画像のタイプ情報等の画像表示機能情報を入力し、情報記録媒体に記録されたデータベースファイルから、情報記録媒体に、タイプ１のＶＲ画像、タイプ２のＶＲ画像、ＶＲ画像ではない非ＶＲ各画像のどの画像が含まれるか否かを示すＶＲ識別情報を取得し、取得した表示装置機能情報とＶＲ識別情報との対比結果に基づいて、表示装置において表示可能な画像データを情報記録媒体から読み取り、表示装置に出力する。
本構成により、情報記録媒体に格納された画像のタイプと、表示装置の表示機能情報に応じて、記録媒体から表示可能な画像を取得して表示装置に出力する構成が実現される。
なお、本明細書に記載された効果はあくまで例示であって限定されるものではなく、また付加的な効果があってもよい。
【図面の簡単な説明】
【００２３】
【図１】パノラマ画像等のＶＲ画像について説明する図である。
【図２】パノラマ画像等のＶＲ画像について説明する図である。
【図３】複数の画像タイプについて説明する図である。
【図４】情報記録媒体、再生せ装置、表示装置の組み合わせについて説明する図である。
【図５】ＢＤＭＶフォーマットに従ってメディアに記録されるデータのディレクトリ構成例について説明する図である。
【図６】ＢＤＭＶフォーマットにおいて規定されるプレイリストと、再生データとの対応について説明する図である。
【図７】ＶＲ識別情報の格納ファイルと格納データについて説明する図である。
【図８】インデックスファイルのデータ構成について説明する図である。
【図９】インデックスファイルの拡張データ記録領域に記録される拡張データ対応の識別子について説明する図である。
【図１０】インデックスファイルの拡張データ記録領域のデータ構成について説明する図である。
【図１１】インデックスファイルの拡張データ記録領域に記録されるＶＲ識別情報の例について説明する図である。
【図１２】プレイリストファイルのデータ構成について説明する図である。
【図１３】プレイリストファイルの拡張データ記録領域のデータ構成について説明する図である。
【図１４】プレイリストファイルの拡張データ記録領域に記録されるＶＲ識別情報の例について説明する図である。
【図１５】プレイリストファイルの拡張データ記録領域に記録されるＶＲ識別情報について説明する図である。
【図１６】プレイリストファイルのプレイアイテム単位で記録されるＶＲ識別情報について説明する図である。
【図１７】プレイリストファイルのプレイアイテム単位で記録されるＶＲ識別情報について説明する図である。
【図１８】プレイリストファイルのプレイアイテム単位で記録されるＶＲ識別情報について説明する図である。
【図１９】プレイリストファイルのプレイアイテム単位で記録されるＶＲ識別情報について説明する図である。
【図２０】プレイリストファイルのプレイアイテム単位で記録されるＶＲ識別情報について説明する図である。
【図２１】クリップ情報ファイルの拡張データ記録領域のデータ構成について説明する図である。
【図２２】クリップ情報ファイルの拡張データ記録領域に記録されるＶＲ識別情報の例について説明する図である。
【図２３】クリップ情報ファイルの拡張データ記録領域に記録されるＶＲ識別情報について説明する図である。
【図２４】クリップ情報ファイルのストリーム符号化情報記録フィールドにＶＲ識別情報を記録した例について説明する図である。
【図２５】クリップ情報ファイルのストリーム符号化情報記録フィールドにＶＲ識別情報を記録した例について説明する図である。
【図２６】クリップ情報ファイルのストリーム符号化情報記録フィールドにＶＲ識別情報を記録した例について説明する図である。
【図２７】再生装置と表示装置間で転送されるデータについて説明する図である。
【図２８】表示装置から再生装置に送信される表示装置機能情報（ＥＤＩＤ）の具体例について説明する図である。
【図２９】表示装置から再生装置に送信される表示装置機能情報（ＥＤＩＤ）の具体例について説明する図である。
【図３０】再生装置における表示装置機能情報（ＥＤＩＤ）の記憶部（ＰＳＲ）に対する記録例について説明する図である。
【図３１】再生装置における画像変換機能について説明する図である。
【図３２】再生装置の画像変換機能情報の記憶部（ＰＳＲ）に対する記録例について説明する図である。
【図３３】再生装置から表示装置に送信される再生データ情報としてのインフォフレームのデータ構成について説明する図である。
【図３４】情報記録媒体に対するデータ記録を実行する情報処理装置の構成について説明する図である。
【図３５】情報記録媒体に対するデータ記録を実行する情報処理装置の実行する処理シーケンスを説明するフローチャートを示す図である。
【図３６】情報記録媒体からのデータ再生を実行する情報処理装置の構成について説明する図である。
【図３７】情報記録媒体からのデータ再生を実行する情報処理装置の実行する処理シーケンスを説明するフローチャートを示す図である。
【図３８】本開示の処理に適用される報処理装置のハードウェア構成例について説明する図である。
【発明を実施するための形態】
【００２４】
以下、図面を参照しながら本開示の情報処理装置、表示装置、情報記録媒体、および情報処理方法、並びにプログラムの詳細について説明する。なお、説明は以下の項目に従って行なう。
１．画像表示処理の概要について
２．複数の画像タイプと、画像の再生、表示処理構成について
３．情報記録媒体に記録された画像データの識別情報記録構成例について
３−１．情報記録媒体の記録データの概要について
３−２．インデックスファイルに対するＶＲ識別情報の記録例について
３−３．プレイリストファイルに対するＶＲ識別情報の記録例について
３−４．プレイリストファイルにおけるプレイアイテム単位のＶＲ識別情報の記録例について
３−５．クリップ情報ファイルに対するＶＲ識別情報の記録例について
３−６．クリップ情報ファイルのストリーム符号化情報記録フィールドにＶＲ識別情報を記録した例について
４．再生装置と表示装置間の情報入出力構成例について
４−１．表示装置が再生装置に送信する表示装置情報について
４−２．再生装置が表示装置に送信する再生データ情報について
５．情報記録媒体に対するデータ記録処理を実行する情報処理装置の構成と処理について
６．情報記録媒体からのデータ再生処理を実行する情報処理装置の構成と処理について
７．情報処理装置の構成例について
８．本開示の構成のまとめ
【００２５】
［１．画像表示処理の概要について］
まず、図１以下を参照して、全天球画像や全方位画像、あるいはパノラマ画像等、様々な方向の画像を表示部に表示可能とした装置における画像表示処理の概要について説明する。
【００２６】
前述したように、昨今、全天球画像や全方位画像、あるいはパノラマ画像等、様々な方向の画像を撮影可能な撮像装置が開発され、このような撮像装置を用いて撮影された画像をＰＣや、タブレット端末、携帯端末、あるいはヘッド・マウント・ディスプレイ（ＨＭＤ）等の表示部に表示し、ユーザが選択した任意方向の画像を観察可能としたシステムが広く利用されている。
【００２７】
例えば、周囲３６０度の全方位画像の映像（動画像）データを記録メディアや外部サーバから取得してユーザのＰＣやテレビ、スマートホン等の形態端末等の表示装置に表示させることができる。ユーザは、例えば記録メディアから取得した画像データから、任意方向の画像を選択して表示装置に表示させ、マウスやリモコンを介した入力、あるいは表示パネルに対するタッチスライド処理等の操作により、自由に視点を変えながら映像（動画像）や静止画を観察することが可能となる。
【００２８】
図１は、携帯端末の表示部に様々な方向の画像を選択して表示した例を説明する図である。
図１に示す画像データ１は、パノラマ画像である。水平方向３６０度の画像が１枚の画像データとして設定されている。
画像データの中心部がユーザ（観察者）の正面方向（例えば０度＝北方向）の画像とすると、画像データ１の左端がユーザ（観察者）の後ろ方向（−１８０度＝南方向）の画像であり、画像データ１の右端もユーザ（観察者）の後ろ方向（＋１８０度＝南方向）の画像である。
画像データ１の左端と右端は同じ位置の画像となる。
【００２９】
なお、全天球画像や全方位画像、すなわち３６０度パノラマ画像の場合は、上下方向については１８０度の画像が撮影されており、上下左右全方向の画像が含まれる。
なお、以下の説明において、全天球画像や全方位画像、あるいはパノラマ画像等、様々な異なる方向の画像を選択的に表示可能とした画像をＶＲ（Ｖｉｒｔｕａｌ  Ｒｅａｌｉｔｙ）画像（仮想現実画像）と呼ぶ。
【００３０】
図１下段には、ユーザの情報処理装置の一例である携帯端末２を示している。
携帯端末２の表示部には、画像データ１の一部の領域、例えばユーザが任意に選択した領域の画像を表示することができる。
【００３１】
左側の携帯端末２の表示画像Ａは、画像データ１内の一部領域の画像区間ａ１〜ａ２の部分区間の領域画像である。
右側の携帯端末２の表示画像Ｂは、画像データ１内の一部領域の画像区間ｂ１〜ｂ２の部分区間の領域画像である。
ユーザは、タッチパネルとして構成された表示部に対する指のスライド処理などによって、表示画像を移動させて、任意の領域の画像を表示することができる。
【００３２】
なお、携帯端２には、スピーカ３が備えられており、表示画像に併せて記録された音声データが出力される。
【００３３】
図２は、ヘッド・マウント・ディスプレイ（ＨＭＤ）５を利用してパノラマ画像を表示した例である。
ヘッド・マウント・ディスプレイ（ＨＭＤ）５に画像を表示する場合は、ＨＭＤに搭載した頭部の動きや方向を検出するセンサ情報に応じて、ユーザの頭の向きに応じた画像を表示させる。この画像表示制御により、ユーザは、あたかもＨＭＤの表示部に表示された画像の中に存在しているような感覚を味わうことができる。
【００３４】
ＨＭＤ５を装着したユーザが左を向いたときの画像が表示画像Ｐである。
ＨＭＤ５を装着したユーザが右を向いたときの画像が表示画像Ｑである。
ＨＭＤ５を装着したユーザは、体（頭）の向きを変更することで、周囲３６０度の画像を観察することができる。
なお、ヘッド・マウント・ディスプレイ（ＨＭＤ）５にも、スピーカ６が備えられており、表示画像に併せて記録された音声データが出力される。
【００３５】
［２．複数の画像タイプと、画像の再生、表示処理構成について］
次に、全天球画像や全方位画像、あるいはパノラマ画像等のＶＲ（Ｖｉｒｔｕａｌ  Ｒｅａｌｉｔｙ）画像（仮想現実画像）の記録再生方式と、再生、表示処理構成について説明する。
全天球画像や全方位画像、あるいはパノラマ画像等のＶＲ画像を記録、表示するための画像記録や再生処理の方式として様々な方式が混在する。
すなわち、ＶＲ画像には、その画像の記録処理、表示処理に適用するアルゴリズムが異なる複数の画像タイプ（ＶＲタイプ）がある。
具体的な画像タイプ（ＶＲタイプ）の例について、図３を参照して説明する。
【００３６】
図３には、ＶＲ画像タイプの代表例として２つの画像タイプを示している。
（１）タイプ１（Ｔｙｐｅ１）は、「（ｂ）画像の特徴」に説明のあるように、３６０度周囲画像を構成する複数の異なる視点画像の組み合わせからなる画像であり、「（ｃ）画像例」に示すように、例えば４枚の異なる視点からの画像の組み合わせによって構成される。
（２）タイプ２（Ｔｙｐｅ２）は、「（ｂ）画像の特徴」に説明のあるように、球体面上の周囲画像を平面に展開して記録した画像であり、「（ｃ）画像例」に示すように、球面上の画像を平面状に展開した１枚の画像によって構成される。
【００３７】
このようにＶＲ画像には、様々な異なるタイプがあり、各タイプによって記録データの形式が全く異なる。さらに、表示処理においても、各画像タイプに対応した異なる表示画像生成処理を実行することが必要となる。
【００３８】
例えば、タイプ１の画像を表示するためには、タイプ１の画像対応の表示画像生成アルゴリズムを実行する表示アプリケーション（プログラム）を適用したデータ処理が必要となる。
タイプ２の画像を表示するためには、タイプ２の画像対応の表示画像生成アルゴリズムを実行する表示アプリケーション（プログラム）を適用したデータ処理が必要となる。
【００３９】
タイプ１の画像表示アプリケーションを有する表示装置にタイプ２の画像を入力しても正しい画像表示を行うことができない。
同様に、タイプ２の画像表示アプリケーションを有する表示装置にタイプ１の画像を入力しても正しい画像表示を行うことができない。
なお、ＶＲ画像には、上述したタイプ１，２の他にも、複数の異なるタイプが存在する。
【００４０】
図４に、ＶＲ画像を記録した情報記録媒体１０と、再生装置２０と、ＶＲ画像を表示するテレビ等の表示装置３０ａ〜３０ｄの接続例を示す。
情報記録媒体１０は、例えば、ＢＤ（Ｂｌｕ−ｒａｙ（登録商標）  Ｄｉｓｃ）であり、以下のいずれかのタイプの画像を格納している。
（１）ＶＲ画像ではない非ＶＲ画像コンテンツ
（２）タイプ１のＶＲ画像コンテンツ
（３）タイプ２のＶＲ画像コンテンツ
：
（ｎ）タイプｎのＶＲコンテンツ
なお、ＶＲ画像ではない非ＶＲ画像コンテンツとは、一般的な１つのカメラ視点から撮影された２次元画像コンテンツを意味する。
【００４１】
再生装置２０に接続される表示装置３０ａ〜３０ｄは、以下の表示装置である。
（１）表示装置３０ａ：ＶＲ画像非対応テレビ
（２）表示装置３０ｂ：タイプ１のＶＲ画像対応テレビ
（３）表示装置３０ｃ：タイプ２のＶＲ画像対応ヘッド・マウント・ディスプレイ（ＨＭＤ）
（４）表示装置３０ｄ：タイプ１、およびタイプ２のＶＲ画像対応スマートホン
【００４２】
（１）表示装置３０ａ：ＶＲ画像非対応テレビはＶＲ画像ではない非ＶＲ画像、すなわち、一般的な１つのカメラ視点から撮影された２次元画像のみ表示可能である。
（２）表示装置３０ｂ：タイプ１のＶＲ画像対応テレビはタイプ１のＶＲ画像と、ＶＲ画像ではない非ＶＲ画像を表示可能である。
なお、非ＶＲ画像は、すべての表示装置において表示可能であるものとする。
【００４３】
（３）表示装置３０ｃ：タイプ２のＶＲ画像対応ヘッド・マウント・ディスプレイ（ＨＭＤ）は、タイプ２のＶＲ画像と、ＶＲ画像ではない非ＶＲ画像を表示可能である。
（４）表示装置３０ｄ：タイプ１、およびタイプ２のＶＲ画像対応スマートホンは、タイプ１とタイプ２のＶＲ画像と、ＶＲ画像ではない非ＶＲ画像を表示可能である。
【００４４】
このような設定で、例えば、表示装置３０ｃ：タイプ２のＶＲ画像対応ヘッド・マウント・ディスプレイ（ＨＭＤ）に対して、再生装置２０が情報記録媒体１０に記録されたタイプ１のＶＲ画像を再生して出力したとする。
表示装置３０ｃは、タイプ１のＶＲ画像の表示処理を行なうためのアプリケーションを有していないため、タイプ１のＶＲ画像の正しい表示ができないという事態が発生する。
【００４５】
図４に示す構成において、ＢＤ（Ｂｌｕ−ｒａｙ（登録商標）  Ｄｉｓｃ）等の情報記録媒体１０に記録された画像データを再生装置（ＢＤプレーヤ）２０が再生し、表示装置３０ａ〜３０ｄにおいて正常な画像表示を行うために必要な処理は、例えば以下の処理である。
（１）再生装置２０が、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかを確認すること。
（２）再生装置２０が、再生装置に接続された表示装置が表示可能な画像データの種類、すなわち、タイプ１のＶＲ画像，タイプ２のＶＲ画像，ＶＲ画像ではない非ＶＲ画像、これらのどのタイプの画像が表示可能であるかを確認すること。
（３）表示装置３０ａ〜３０ｄが、再生装置２０から入力するデータが、タイプ１のＶＲ画像，タイプ２のＶＲ画像，ＶＲ画像ではない非ＶＲ画像、これらのどのタイプの画像データであるかを確認すること。
【００４６】
これら（１）〜（３）の確認処理を、再生装置２０から表示装置３０ａ〜３０ｄに対する画像データの出力前に実行することで、各画像タイプに応じた正常な、再生、表示処理が可能となる。
なお、上記（１）〜（３）の確認処理によって、再生装置２０の装着したＢＤ１０の格納データの画像タイプが、再生装置２０に接続された表示装置３０ａ〜３０ｄの表示可能な画像タイプと一致しないことが確認された場合は、再生装置２０は、表示装置３０ａ〜３０ｄに対して、正常な画像表示が実行できないことを示すメッセージ等を出力するといった対応を行うことができる。
【００４７】
なお、本開示の処理は、ＶＲ画像のタイプ種類は２種類に限らず、任意数の種類である場合において適用可能であるが、以下では、説明を理解しやすくするため、主にＶＲ画像のタイプが２種類（タイプ１、タイプ２）である場合の処理として説明する。
以下、上記（１）〜（３）の確認処理を実現可能とするための具体的な構成例について説明する。
【００４８】
［３．情報記録媒体に記録された画像データの識別情報記録構成例について］
まず、情報記録媒体に記録された画像データの識別情報記録構成例について説明する。
先に図４を参照して説明したように、表示装置３０において画像の正常な表示を実現するためには、再生装置２０が、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかを確認することが必要である。
以下、この確認処理を可能とするための構成として、情報記録媒体に記録された画像データの識別情報を情報記録媒体に記録する構成例について説明する。
【００４９】
［３−１．情報記録媒体の記録データの概要について］
まず、情報記録媒体の記録データの概要について説明する。
図５は、例えばＲＯＭ型のＢＤ（Ｂｌｕ−ｒａｙ（登録商標）  Ｄｉｓｃ）である情報記録媒体（メディア）１０に記録されたＢＤＭＶフォーマットに従った記録データのディレクトリを示す図である。
【００５０】
ディレクトリは図５に示すように管理情報設定部５１（ＡＡＣＳディレクトリ）と、データ部５２（ＢＤＭＶディレクトリ）に分離されている。
管理情報設定部５１（ＡＡＣＳディレクトリ）には、データの暗号化鍵であるＣＰＳユニットキーファイルや、利用制御情報ファイルなどが格納される。
【００５１】
ＣＰＳユニットキーファイルには、クリップＡＶストリームファイルに格納された再生対象データである暗号化データの復号に適用するＣＰＳユニットキーが暗号化鍵データとして格納されている。
再生装置は、再生装置に格納されたデバイスキーや、ディスクに格納されたデータを適用した処理によって、ＣＰＳユニットキーファイルからＣＰＳユニットキーを取得し、取得したＣＰＳユニットキーを適用してクリップＡＶストリームファイルに格納された暗号化データを復号して再生処理を行なう。
【００５２】
一方、データ部５２のＢＤＭＶディレクトリ以下には、
インデックスファイル、
プレイリストファイル、
クリップ情報ファイル、
クリップＡＶストリームファイル、
ＢＤＪＯファイル、
例えば、これらのファイルが記録される。
【００５３】
インデックスファイルには、再生処理に適用するインデックス情報としてのタイトル情報等、ディスク格納データ全体に対応した管理情報等が格納される。
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
クリップＡＶストリームファイルは、再生対象となるＡＶストリームデータを格納したファイルである。クリップＡＶストリームファイルは、再生対象となる画像、音声、字幕等の各データを格納したパケットによって構成される。
ＢＤＪＯファイルは、ＪＡＶＡ（登録商標）プログラム、コマンド等を格納したファイルの実行制御情報を格納したファイルである。
【００５４】
なお、インデックスファイル、プレイリストファイル、クリップ情報ファイル、これらのデータファイルは、クリップＡＶストリームファイルに格納された再生データである画像、音声、字幕等の再生処理に適用する管理情報、再生制御情報、再生データ属性情報等を格納したファイルであり、データベースファイルと呼ばれる。
【００５５】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００５６】
図６は、情報記録媒体（メディア）１０に記録される以下のデータ、すなわち、
プレイリストファイル、
クリップ情報ファイル、
クリップＡＶストリームファイル、
これらのデータの対応関係を説明する図である。
【００５７】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００５８】
これら複数のカテゴリのファイルは、図６に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００５９】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００６０】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。
【００６１】
また、クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００６２】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００６３】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００６４】
図５を参照して説明したように、データ部５２のＢＤＭＶディレクトリ以下に格納されるデータとして、
インデックスファイル、
プレイリストファイル、
クリップ情報ファイル、
クリップＡＶストリームファイル、
これらのファイルがある。
【００６５】
例えばＶＲ画像データやＶＲ画像ではない非ＶＲ画像データ等の再生対象データは、クリップＡＶストリームファイルに格納される。
インデックスファイル、プレイリストファイル、クリップ情報ファイル等のデータベースファイルは、クリップＡＶストリームファイルに格納された再生対象データの再生処理に適用する様々なデータを格納したファイルであり、クリップＡＶストリームファイルに格納されたデータの属性情報等を記録することができる。
【００６６】
以下、情報記録媒体記録された画像データの種類、すなわち、タイプ１のＶＲ画像，タイプ２のＶＲ画像，ＶＲ画像ではない非ＶＲ画像、これらのどのタイプの画像が記録されているのかを確認可能とした画像情報を、インデックスファイル、プレイリストファイル、クリップ情報ファイル等のデータベースファイルに記録した実施例について説明する。
図７は、インデックスファイル、プレイリストファイル、クリップ情報ファイルに対する格納する画像情報としてのＶＲ識別情報の具体例を説明する図である。
【００６７】
インデックスファイルには、情報記録媒体全体の記録データに関する情報が記録可能であり、インデックスファイルに記録するＶＲ識別情報は、以下の情報となる。
「情報記録媒体の記録データとしてＶＲ画像が含まれているか否か、含まれている場合は、記録データがタイプ１のＶＲ画像であるか、タイプ２のＶＲ画像であるかを示すＶＲタイプ情報」
【００６８】
プレイリストファイルには、そのプレイリストを適用して再生されデータに関する情報が記録可能であり、プレイリストファイルに記録するＶＲ識別情報は、以下の情報となる。
「プレイリストによる再生対象データにＶＲ画像が含まれているか否か、含まれている場合は、再生対象データがタイプ１のＶＲ画像であるか、タイプ２のＶＲ画像であるかを示すＶＲタイプ情報」
【００６９】
クリップ情報ファイルには、そのクリップ情報ファイルを適用して再生されデータに関する情報が記録可能であり、クリップ情報ファイルに記録するＶＲ識別情報は、以下の情報となる。
「クリップ情報ファイルに対応づけられた再生対象データにＶＲ画像が含まれているか否か、含まれている場合は、再生対象データがタイプ１のＶＲ画像であるか、タイプ２のＶＲ画像であるかを示すＶＲタイプ情報」
【００７０】
以下、インデックスファイル、プレイリストファイル、クリップ情報ファイル、各々に対する具体的なＶＲ識別情報の記録例について、順次、説明する。
【００７１】
［３−２．インデックスファイルに対するＶＲ識別情報の記録例について］
まず、図８以下を参照してインデックスファイルに対するＶＲ識別情報の記録例について説明する。
【００７２】
図７を参照して説明したように、インデックスファイルには、情報記録媒体全体の記録データに関する情報が記録可能であり、インデックスファイルに記録するＶＲ識別情報は、以下の情報となる。
「情報記録媒体の記録データとしてＶＲ画像が含まれているか否か、含まれている場合は、記録データがタイプ１のＶＲ画像であるか、タイプ２のＶＲ画像であるかを示すＶＲタイプ情報」
【００７３】
図８は、インデックスファイルのデータ構成例（シンタックス）を示す図である。
インデックスファイルには、情報記録媒体全体の記録データに関する情報、例えばタイトル情報等が記録される。
インデックスファイルには、図８に示すように、様々な拡張データを記録可能な拡張データ記録領域［ＥｘｔｅｎｓｉｏｎＤａｔａ（）］１０１が設定される。
【００７４】
なお、拡張データ記録領域［ＥｘｔｅｎｓｉｏｎＤａｔａ（）］には、様々な拡張データが記録されるため、拡張データ各々がどのようなデータであるかを示す拡張データ識別子が、各拡張データに対応付けられて拡張データとともに記録される。
【００７５】
拡張データ識別子の例を図９に示す。
拡張データ識別子は２つのＩＤ（ＩＤ１，ＩＤ２）によって構成される。
インデックスファイルの拡張データ識別子として、既にいくつかの識別子は定義済みである。例えば、
ＩＤ１＝０ｘ０００１
ＩＤ２＝０ｘ０００２
この拡張データ識別子は、ＬＰＣＭ（リニアＰＣＭ）のダウンコンバート情報の記録領域として定義されている。
【００７６】
拡張データ識別子としての、
ＩＤ１＝０ｘ０００４
ＩＤ２＝０ｘ０００１
この識別子の組み合わせは未定義であり、この拡張データ識別子をＶＲ識別情報、すなわち以下のＶＲ識別情報を記録する拡張データ記録領域を示す識別子とする。
「情報記録媒体の記録データとしてＶＲ画像が含まれているか否か、含まれている場合は、記録データがタイプ１のＶＲ画像であるか、タイプ２のＶＲ画像であるかを示すＶＲタイプ情報」
【００７７】
なお、図９に示す拡張データ識別子の設定、すなわち、
ＩＤ１＝０ｘ０００４
ＩＤ２＝０ｘ０００１
これらのＩＤ設定は一例であり、この他のＩＤをＶＲ識別情報の記録領域を示すＩＤとして利用する構成も可能である。
【００７８】
図１０は、図８に示すインデックスファイルの拡張データ記録領域［ＥｘｔｅｎｓｉｏｎＤａｔａ（）］１０１に記録されるＶＲ識別情報のデータ記録領域の構成例（シンタックス）を示す図である。
図１０に示すように、インデックスファイルの拡張データ記録領域１０１には、拡張データ識別子（ＩＤ）記録領域１０２と、データブロック（ｄａｔａ＿ｂｌｏｃｋ）１０３が設定される。
【００７９】
拡張データ識別子（ＩＤ）記録領域１０２には、上述したＶＲ識別情報の記録領域を示すＩＤ（ＩＤ１＝０ｘ０００４，ＩＤ２＝０ｘ０００１）が記録される。
この拡張データ識別子（ＩＤ）記録領域１０２の後にＶＲ識別情報の記録領域であるデータブロック（ｄａｔａ＿ｂｌｏｃｋ）１０３が設定される。
【００８０】
データブロック（ｄａｔａ＿ｂｌｏｃｋ）１０３に記録される具体的なデータについて、図１１を参照して説明する。
図１１（ａ）は、図１０に示すデータブロック（ｄａｔａ＿ｂｌｏｃｋ）１０３の詳細構成を示す図である。すなわち、インテックスファイルに記録されるＶＲ識別情報の具体的なデータ例を示している。
【００８１】
図１１（ａ）に示すようにデータブロックには、以下のデータ記録領域が設定される。
（１）ＶＲ画像タイプ情報（ＶＲ＿ｔｙｐｅ）記録領域１０４、
【００８２】
（１）ＶＲ画像タイプ情報（ＶＲ＿ｔｙｐｅ）記録領域１０４の記録データ例を図１１（ｂ）に示す。
ＶＲ画像タイプ情報（ＶＲ＿ｔｙｐｅ）記録領域１０４には、このインデックスファイルの記録された情報記録媒体（ディスク）に記録されている画像データの種類を示すビット値が記録される。
このＶＲ画像タイプ情報（ＶＲ＿ｔｙｐｅ）記録領域１０４は、例えば、８ビットデータである。
【００８３】
図１１（ｂ）に示すように、ＶＲ画像タイプ情報（ＶＲ＿ｔｙｐｅ）記録領域１０４に記録されたビット値に応じて、情報記録媒体（ディスク）に記録されている画像データの種類（非ＶＲ画像／タイプ１のＶＲ画像／タイプ２のＶＲ画像）を、以下のように識別することができる。
【００８４】
ＶＲ画像タイプ情報（ＶＲ＿ｔｙｐｅ）のビット値＝０：情報記録媒体の記録データ中にはＶＲ画像は含まれず、非ＶＲ画像のみから構成される。
ＶＲ画像タイプ情報（ＶＲ＿ｔｙｐｅ）のビット値＝１：情報記録媒体の記録データ中にタイプ１のＶＲ画像が含まれる。
ＶＲ画像タイプ情報（ＶＲ＿ｔｙｐｅ）のビット値＝２：情報記録媒体の記録データ中にタイプ２のＶＲ画像が含まれる。
ＶＲ画像タイプ情報（ＶＲ＿ｔｙｐｅ）のビット値＝３：情報記録媒体の記録データ中にタイプ１のＶＲ画像と、タイプ２のＶＲ画像が含まれる。
【００８５】
［３−３．プレイリストファイルに対するＶＲ識別情報の記録例について］
次に、図１２以下を参照してプレイリストファイルに対するＶＲ識別情報の記録例について説明する。
【００８６】
図７を参照して説明したように、プレイリストファイルには、そのプレイリストを適用して再生されデータに関する情報が記録可能であり、プレイリストファイルに記録するＶＲ識別情報は、以下の情報となる。
「プレイリストによる再生対象データにＶＲ画像が含まれているか否か、含まれている場合は、再生対象データがタイプ１のＶＲ画像であるか、タイプ２のＶＲ画像であるかを示すＶＲタイプ情報」
【００８７】
図１２は、プレイリストファイルのデータ構成例（シンタックス）を示す図である。
プレイリストファイルには、そのプレイリストを適用して再生されデータに関する情報が記録される。
プレイリストファイルには、図１２に示すように、様々な拡張データを記録可能な拡張データ記録領域［ＥｘｔｅｎｓｉｏｎＤａｔａ（）］１２１が設定される。
【００８８】
なお、先に説明したインデックスファイルと同様、拡張データ記録領域［ＥｘｔｅｎｓｉｏｎＤａｔａ（）］には、様々な拡張データが記録されるため、拡張データがどのようなデータであるかを示す拡張データ識別子が、各拡張データに対応付けられて拡張データとともに記録される。
【００８９】
拡張データ識別子は２つのＩＤ（ＩＤ１，ＩＤ２）によって構成される。
本実施例では、プレイリストファイルにおけるＶＲ識別情報格納領域を示す拡張データ識別子として未定義の以下の識別子、
ＩＤ１＝０ｘ０００４
ＩＤ２＝０ｘ０００２
この拡張データ識別子を利用する。
この識別情報に対応付けられた拡張データ記録領域にＶＲ識別情報、すなわち以下のＶＲ識別情報を記録する。
「プレイリストによる再生対象データにＶＲ画像が含まれているか否か、含まれている場合は、再生対象データがタイプ１のＶＲ画像であるか、タイプ２のＶＲ画像であるかを示すＶＲタイプ情報」
【００９０】
なお、この拡張データ識別子の設定、すなわち、
ＩＤ１＝０ｘ０００４
ＩＤ２＝０ｘ０００２
これらのＩＤ設定は、一例であり、この他のＩＤをＶＲ識別情報の記録領域を示すＩＤとして利用する構成も可能である。
【００９１】
図１３は、図１２に示すプレイリストファイルの拡張データ記録領域［ＥｘｔｅｎｓｉｏｎＤａｔａ（）］１２１に記録されるＶＲ識別情報のデータ記録領域の構成例（シンタックス）を示す図である。
図１３に示すように、プレイリストファイルの拡張データ記録領域１２１には、拡張データ識別子（ＩＤ）記録領域１２２と、データブロック（ｄａｔａ＿ｂｌｏｃｋ）１２３が設定される。
【００９２】
拡張データ識別子（ＩＤ）記録領域１２２には、上述したＶＲ識別情報の記録領域を示すＩＤ（ＩＤ１＝０ｘ０００４，ＩＤ２＝０ｘ０００２）が記録される。
この拡張データ識別子（ＩＤ）記録領域１２２の後にＶＲ識別情報の記録領域であるデータブロック（ｄａｔａ＿ｂｌｏｃｋ）１２３が設定される。
【００９３】
データブロック（ｄａｔａ＿ｂｌｏｃｋ）１２３に記録される具体的なデータについて、図１４以下を参照して説明する。
図１４は、図１３に示すデータブロック（ｄａｔａ＿ｂｌｏｃｋ）１２３の詳細構成の一例を示す図である。すなわち、プレイリストファイルに記録されるＶＲ識別情報の具体的なデータ例を示している。
【００９４】
図１４（ａ）は、図１３に示すデータブロック（ｄａｔａ＿ｂｌｏｃｋ）１２３の詳細構成を示す図である。すなわち、プレイリストファイルに記録されるＶＲ識別情報の具体的なデータ例を示している。
【００９５】
図１４（ａ）に示すようにデータブロックには、以下のデータ記録領域が設定される。
（１）ＶＲ画像タイプ情報（ＶＲ＿ｔｙｐｅ）記録領域１２４、
【００９６】
（１）ＶＲ画像タイプ情報（ＶＲ＿ｔｙｐｅ）記録領域１２４の記録データ例を図１４（ｂ）に示す。
ＶＲ画像タイプ情報（ＶＲ＿ｔｙｐｅ）記録領域１２４には、このプレイリストファイルを適用した再生対象データとなる画像データの種類を示すビット値が記録される。
このＶＲ画像タイプ情報（ＶＲ＿ｔｙｐｅ）記録領域１２４は、例えば、８ビットデータである。
【００９７】
図１４（ｂ）に示すように、ＶＲ画像タイプ情報（ＶＲ＿ｔｙｐｅ）記録領域１２４に記録されたビット値に応じて、このプレイリストファイルを適用した再生対象データとなる画像データの種類（非ＶＲ画像／タイプ１のＶＲ画像／タイプ２のＶＲ画像）を、以下のように識別することができる。
【００９８】
ＶＲ画像タイプ情報（ＶＲ＿ｔｙｐｅ）のビット値＝０：このプレイリストによる再生対象データ中にはＶＲ画像は含まれず、非ＶＲ画像のみから構成される。
ＶＲ画像タイプ情報（ＶＲ＿ｔｙｐｅ）のビット値＝１：このプレイリストによる再生対象データ中にタイプ１のＶＲ画像が含まれる。
ＶＲ画像タイプ情報（ＶＲ＿ｔｙｐｅ）のビット値＝２：このプレイリストによる再生対象データ中にタイプ２のＶＲ画像が含まれる。
ＶＲ画像タイプ情報（ＶＲ＿ｔｙｐｅ）のビット値＝３：このプレイリストによる再生対象データ中にタイプ１のＶＲ画像と、タイプ２のＶＲ画像が含まれる。
【００９９】
図１４を参照して説明した例は、ＶＲ画像タイプが２つの場合であるが、例えばＶＲ画像タイプが３種類である場合のＶＲ画像タイプ情報の設定例について図１５を参照して説明する。
図１５は、図１３に示すデータブロック（ｄａｔａ＿ｂｌｏｃｋ）１２３の詳細構成のもう１つの例を示す図である。
図１５（ａ）も、図１４（ａ）と同様、図１３に示すデータブロック（ｄａｔａ＿ｂｌｏｃｋ）１２３の詳細構成を示す図である。すなわち、プレイリストファイルに記録されるＶＲ識別情報の具体的なデータ例を示している。
【０１００】
図１５（ａ）に示すようにデータブロックには、以下のデータ記録領域が設定される。
（１）ＶＲ画像タイプ情報（ＶＲ＿ｔｙｐｅ）記録領域１２５、
【０１０１】
（１）ＶＲ画像タイプ情報（ＶＲ＿ｔｙｐｅ）記録領域１２５の記録データ例を図１５（ｂ）に示す。
ＶＲ画像タイプ情報（ＶＲ＿ｔｙｐｅ）記録領域１２５には、このプレイリストファイルを適用した再生対象データとなる画像データの種類を示すビット値が記録される。
このＶＲ画像タイプ情報（ＶＲ＿ｔｙｐｅ）記録領域１２５は、例えば、８ビットデータである。
【０１０２】
図１５（ｂ）に示すように、ＶＲ画像タイプ情報（ＶＲ＿ｔｙｐｅ）記録領域１２５に記録されたビット値に応じて、このプレイリストファイルを適用した再生対象データとなる画像データの種類を、以下のように識別することができる。
【０１０３】
ＶＲ画像タイプ情報（ＶＲ＿ｔｙｐｅ）のビット値＝０：このプレイリストによる再生対象データ中にはＶＲ画像は含まれず、非ＶＲ画像のみから構成される。
ＶＲ画像タイプ情報（ＶＲ＿ｔｙｐｅ）のビット値＝１：このプレイリストによる再生対象データ中にタイプ１のＶＲ画像が含まれる。
ＶＲ画像タイプ情報（ＶＲ＿ｔｙｐｅ）のビット値＝２：このプレイリストによる再生対象データ中にタイプ２のＶＲ画像が含まれる。
ＶＲ画像タイプ情報（ＶＲ＿ｔｙｐｅ）のビット値＝３：このプレイリストによる再生対象データ中にタイプ３のＶＲ画像が含まれる。
【０１０４】
このように、ＶＲ画像タイプが３種類の場合は、図１５に示すビット値設定が可能である。
なお、さらに、他のビット値設定として、以下のような情報を示すビット値を設定してもよい。
プレイリストによる再生対象データ中にタイプ１，２のＶＲ画像が含まれる。
プレイリストによる再生対象データ中にタイプ１，３のＶＲ画像が含まれる。
プレイリストによる再生対象データ中にタイプ２，３のＶＲ画像が含まれる。
プレイリストによる再生対象データ中にタイプ１，２，３のＶＲ画像が含まれる。
また、ＶＲ画像タイプが４つ以上の場合も同様であり、画像タイプの組み合わせをすべて識別可能としたビット値を設定する構成とすることが可能である。
【０１０５】
プレイリストファイルにはこれらの情報が記録され、プレイリストを利用して画像再生を行なう場合、これらの情報を参照して、参照情報に応じて画像特性に応じた適正な処理を行なうことができる。
【０１０６】
［３−４．プレイリストファイルにおけるプレイアイテム単位のＶＲ識別情報の記録例について］
次に、図１６以下を参照してプレイリストファイルにおけるプレイアイテム単位のＶＲ識別情報の記録例について説明する。
【０１０７】
先に図５、図６を参照して説明したように、プレイリストファイルは、コンテンツの再生順等の再生制御情報を格納したファイルであり、例えば、再生位置情報等を記録したクリップ情報ファイルの指定情報等、様々な再生制御情報を有する。
また、プレイリストファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
以下に説明する例は、プレイリストファイルにおけるプレイアイテム単位のＶＲ識別情報の記録例である。
【０１０８】
図１６は、プレイリストファイルのデータ構成を示すシンタックスである。
図１６に示すように、プレイリストファイルは、ファイルタイプを示すタイプ情報［ｔｙｐｅ＿ｉｎｄｉｃａｔｏｒ］が記録され、その後に各実体データのスタートアドレス情報［ＰｌａｙＬｉｓｔ＿ｓｔａｒｔ＿ａｄｄｒｅｓｓ］〜［ＥｘｔｅｎｓｉｏｎＤａｔａ＿ｓｔａｒｔ＿ａｄｄｒｅｓｓ］が記録され、その後に、プレイリストファイルに記録される実体データの記録領域が設けられている。
【０１０９】
実体データの記録領域には、以下の各領域が設定される。
（１）再生制御パラメータ等を格納した再生制御バラメータ格納領域である［ＡｐｐＩｎｆｏＰｌａｙＬｉｓｔ（）］
（２）プレイリストに含まれるプレイアイテム単位の再生対象データのストリーム情報等を記録した再生ストリーム情報記録領域１２６である［ＰｌａｙＬｉｓｔ（）］
（３）例えばチャプタサーチ等に用いるエントリマーク等の再生開始位置情報等を記録したマーク情報記録領域である［ＰｌａｙＬｉｓｔＭａｒｋ（）］
（４）様々な拡張データを記録可能な拡張データ記録領域である［ＥｘｔｅｎｓｉｏｎＤａｔａ（）］
【０１１０】
ここで説明する例は、プレイアイテム単位の再生対象データのストリーム情報等を記録した再生ストリーム情報記録領域［ＰｌａｙＬｉｓｔ（）］１２６にＶＲ画像情報を記録した例である。
図１７は、再生ストリーム情報記録領域［ＰｌａｙＬｉｓｔ（）］１２６のデータ構成（シンタックス）を示す図である。
【０１１１】
図１７に示すように、プレイリストファイスルの再生ストリーム情報記録領域［ＰｌａｙＬｉｓｔ（）］１２６には、プレイアイテム単位情報記録領域［ＰｌａｙＩｔｅｍ（）］１２７が設定される。
図１８は、プレイアイテム単位情報記録領域［ＰｌａｙＩｔｅｍ（）］１２７のデータ構成（シンタックス）を示す図である。
【０１１２】
図１８に示すように、プレイリストファイルの再生ストリーム情報記録領域［ＰｌａｙＬｉｓｔ（）］１２６のプレイアイテム単位情報記録領域［ＰｌａｙＩｔｅｍ（）］１２７には、ＳＴＮテーブル（ストリームナンバーテーブル）１２８が記録される。
ＳＴＮテーブル（ストリームナンバーテーブル）１２８は、プレイリストに含まれるプレイアイテムによって再生される画像や音声、字幕のストリーム情報が記録される。
なお、ＳＴＮテーブル（ストリームナンバーテーブル）は、プレイリストファイルに含まれるプレイアイテム単位で記録される。
【０１１３】
図１９に、ＳＴＮテーブル（ストリームナンバーテーブル）１２８のデータ構成（シンタックス）を示す。
図１９に示すように、ＳＴＮテーブル（ストリームナンバーテーブル）１２８には、以下のストリーム情報が記録される。
（ａ）ストリームエントリ情報（ｓｔｒｅａｍ＿ｅｎｔｒｙ）１２９
（ｂ）ストリーム属性情報（ｓｔｒｅａｍ＿ａｔｔｒｉｂｕｔｅ）１３０
【０１１４】
（ａ）ストリームエントリ情報（ｓｔｒｅａｍ＿ｅｎｔｒｙ）１２９には、例えば、データを格納したＴＳパケットのパケット識別子に相当するパケットＩＤ（ＰＩＤ）等のパケット情報等が記録される。
（ｂ）ストリーム属性情報（ｓｔｒｅａｍ＿ａｔｔｒｉｂｕｔｅ）１３０には、例えば、ストリーム番号、言語の種類、チャネル数、コーデック情報などが記録される。
【０１１５】
なお、ストリームエントリ情報（ｓｔｒｅａｍ＿ｅｎｔｒｙ）１２９に含まれるパケットＩＤは、パケットに格納されるデータの種類に応じて異なるＩＤに設定される。
具体的には、画像、音声、字幕データ等のデータ種類によって異なるＩＤが設定される。
さらに、例えば画像データについては、異なる種類の画像については異なるＰＩＤが設定される。音声データや字幕データについても、例えば異なる言語種類（日本語、英語等）に応じて異なるＰＩＤが設定される。
【０１１６】
本例では、ストリーム属性情報（ｓｔｒｅａｍ＿ａｔｔｒｉｂｕｔｅ）１３０にＶＲ識別情報を記録する。
ストリーム属性情報（ｓｔｒｅａｍ＿ａｔｔｒｉｂｕｔｅ）１３０には、プレイリストに含まれるプレイアイテムによって再生される画像や音声、字幕のストリーム情報を格納することができる。
すなわち、プレイリストファイルの１つのプレイアイテムによって再生対象として選択される画像ストリームについて、個別にその画像ストリームのＶＲタイプを記録することができる。
【０１１７】
図２０に、本例におけるＶＲタイプ情報の記録例を示す。
図２０（ａ）は、図１９に示すＳＴＮテーブルのストリーム属性情報（ｓｔｒｅａｍ＿ａｔｔｒｉｂｕｔｅ）１３０の詳細構成を示す図である。
図２０（ａ）に示すようにＳＴＮテーブルのストリーム属性情報（ｓｔｒｅａｍ＿ａｔｔｒｉｂｕｔｅ）には、以下のデータ記録領域が設定される。
（１）ＶＲ画像タイプ情報（ＶＲ＿ｔｙｐｅ）記録領域１３１、
【０１１８】
（１）ＶＲ画像タイプ情報（ＶＲ＿ｔｙｐｅ）記録領域１３１の記録データ例を図２０（ｂ）に示す。
ＶＲ画像タイプ情報（ＶＲ＿ｔｙｐｅ）記録領域１３１には、プレイリストファイルに設定された１つのプレイアイテムを適用した再生対象データとなる画像データの種類を示すビット値が記録される。
このＶＲ画像タイプ情報（ＶＲ＿ｔｙｐｅ）記録領域１３１は、例えば、８ビットデータである。
【０１１９】
図２０（ｂ）に示すように、ＶＲ画像タイプ情報（ＶＲ＿ｔｙｐｅ）記録領域１３１に記録されたビット値に応じて、このプレイアイテムを適用した再生対象データとなる画像データの種類を、以下のように識別することができる。
【０１２０】
ＶＲ画像タイプ情報（ＶＲ＿ｔｙｐｅ）のビット値＝０：このプレイアイテムによる再生対象データ中にはＶＲ画像は含まれず、非ＶＲ画像のみから構成される。
ＶＲ画像タイプ情報（ＶＲ＿ｔｙｐｅ）のビット値＝１：このプレイアイテムによる再生対象データ中にタイプ１のＶＲ画像が含まれる。
ＶＲ画像タイプ情報（ＶＲ＿ｔｙｐｅ）のビット値＝２：このプレイアイテムによる再生対象データ中にタイプ２のＶＲ画像が含まれる。
ＶＲ画像タイプ情報（ＶＲ＿ｔｙｐｅ）のビット値＝３：このプレイアイテムによる再生対象データ中にタイプ３のＶＲ画像が含まれる。
【０１２１】
なお、さらに、他のビット値設定として、以下のような情報を示すビット値を設定してもよい。
プレイアイテムによる再生対象データ中にタイプ１，２のＶＲ画像が含まれる。
プレイアイテムによる再生対象データ中にタイプ１，３のＶＲ画像が含まれる。
プレイアイテムによる再生対象データ中にタイプ２，３のＶＲ画像が含まれる。
プレイアイテムによる再生対象データ中にタイプ１，２，３のＶＲ画像が含まれる。
また、ＶＲ画像タイプが４つ以上の場合も同様であり、画像タイプの組み合わせをすべて識別可能としたビット値を設定する構成とすることが可能である。
【０１２２】
プレイリストファイルには、このようにプレイアイテム単位のＶＲ情報を記録することも可能である。
プレイリストの特定のプレイアイテムを利用して画像再生を行なう場合、これらの情報を参照して、参照情報に応じて画像特性に応じた適正な処理を行なうことができる。
【０１２３】
［３−５．クリップ情報ファイルに対するＶＲ識別情報の記録例について］
次に、図２１以下を参照してクリップ情報ファイルに対するＶＲ識別情報の記録例について説明する。
【０１２４】
図７を参照して説明したように、クリップ情報ファイルには、そのクリップ情報ファイルに対応づけられた再生対象データに関する情報が記録可能であり、クリップ情報ファイルに記録するＶＲ識別情報は、以下の情報となる。
「クリップ情報ファイルに対応づけられた再生対象データにＶＲ画像が含まれているか否か、含まれている場合は、再生対象データがタイプ１のＶＲ画像であるか、タイプ２のＶＲ画像であるかを示すＶＲタイプ情報」
【０１２５】
図２１は、クリップ情報ファイルのデータ構成例（シンタックス）を示す図である。
クリップ情報ファイルには、そのクリップ情報に対応付けられた再生データに関する情報が記録される。
クリップ情報ファイルには、図２１に示すように、様々な拡張データを記録可能な拡張データ記録領域［ＥｘｔｅｎｓｉｏｎＤａｔａ（）］１４１が設定される。
【０１２６】
なお、先に説明したインデックスファイルやプレイリストファイルと同様、拡張データ記録領域［ＥｘｔｅｎｓｉｏｎＤａｔａ（）］には、様々な拡張データが記録されるため、拡張データがどのようなデータであるかを示す拡張データ識別子が、各拡張データに対応付けられて拡張データとともに記録される。
【０１２７】
拡張データ識別子は２つのＩＤ（ＩＤ１，ＩＤ２）によって構成される。
本実施例では、クリップ情報ファイルにおけるＶＲ識別情報格納領域を示す拡張データ識別子として未定義の以下の識別子、
ＩＤ１＝０ｘ０００４
ＩＤ２＝０ｘ０００３
この拡張データ識別子を利用する。
この識別情報に対応付けられた拡張データ記録領域にＶＲ識別情報、すなわち以下のＶＲ識別情報を記録する。
「クリップ情報ファイルに対応付けられた再生対象データにＶＲ画像が含まれているか否か、含まれている場合は、再生対象データがタイプ１のＶＲ画像であるか、タイプ２のＶＲ画像であるかを示すＶＲタイプ情報」
【０１２８】
なお、この拡張データ識別子の設定、すなわち、
ＩＤ１＝０ｘ０００４
ＩＤ２＝０ｘ０００３
これらのＩＤ設定は、一例であり、この他のＩＤをＶＲ識別情報の記録領域を示すＩＤとして利用する構成も可能である。
【０１２９】
図２２は、図２１に示すクリップ情報ファイルの拡張データ記録領域［ＥｘｔｅｎｓｉｏｎＤａｔａ（）］１４１に記録されるＶＲ識別情報のデータ記録領域の構成例（シンタックス）を示す図である。
図２２に示すように、クリップ情報ファイルの拡張データ記録領域１４１には、拡張データ識別子（ＩＤ）記録領域１４２と、データブロック（ｄａｔａ＿ｂｌｏｃｋ）１４３が設定される。
【０１３０】
拡張データ識別子（ＩＤ）記録領域１４２には、上述したＶＲ識別情報の記録領域を示すＩＤ（ＩＤ１＝０ｘ０００４，ＩＤ２＝０ｘ０００３）が記録される。
この拡張データ識別子（ＩＤ）記録領域１４２の後にＶＲ識別情報の記録領域であるデータブロック（ｄａｔａ＿ｂｌｏｃｋ）１４３が設定される。
【０１３１】
データブロック（ｄａｔａ＿ｂｌｏｃｋ）１４３に記録される具体的なデータについて、図２３を参照して説明する。
図２３は、図２２に示すデータブロック（ｄａｔａ＿ｂｌｏｃｋ）１４３の詳細構成を示す図である。すなわち、クリップ情報ファイルに記録されるＶＲ識別情報の具体的なデータ例を示している。
【０１３２】
図２３（ａ）に示すようにデータブロックには、以下のデータ記録領域が設定される。
（１）ＶＲ画像タイプ情報（ＶＲ＿ｔｙｐｅ）記録領域１４４、
【０１３３】
（１）ＶＲ画像タイプ情報（ＶＲ＿ｔｙｐｅ）記録領域１４４の記録データ例を図２３（ｂ）に示す。
ＶＲ画像タイプ情報（ＶＲ＿ｔｙｐｅ）記録領域１４４には、このクリップ情報ファイルに対応付けられた再生対象画像データの種類を示すビット値が記録される。
このＶＲ画像タイプ情報（ＶＲ＿ｔｙｐｅ）記録領域１４４は、例えば、８ビットデータである。
【０１３４】
図２３（ｂ）に示すように、ＶＲ画像タイプ情報（ＶＲ＿ｔｙｐｅ）記録領域１４４に記録されたビット値に応じて、このクリップ情報ファイルに対応付けられた再生対象画像データの種類を、以下のように識別することができる。
【０１３５】
ＶＲ画像タイプ情報（ＶＲ＿ｔｙｐｅ）のビット値＝０：このクリップ情報ファイルに対応付けられた画像データ中にはＶＲ画像は含まれず、非ＶＲ画像のみから構成される。
ＶＲ画像タイプ情報（ＶＲ＿ｔｙｐｅ）のビット値＝１：このクリップ情報ファイルに対応付けられた画像データ中にタイプ１のＶＲ画像が含まれる。
ＶＲ画像タイプ情報（ＶＲ＿ｔｙｐｅ）のビット値＝２：このクリップ情報ファイルに対応付けられた画像データ中にタイプ２のＶＲ画像が含まれる。
ＶＲ画像タイプ情報（ＶＲ＿ｔｙｐｅ）のビット値＝３：このクリップ情報ファイルに対応付けられた画像データ中にタイプ３のＶＲ画像が含まれる。
【０１３６】
なお、さらに、他のビット値設定として、以下のような情報を示すビット値を設定してもよい。
クリップ情報ファイルに対応付けられた画像データ中にタイプ１，２のＶＲ画像が含まれる。
クリップ情報ファイルに対応付けられた画像データ中にタイプ１，３のＶＲ画像が含まれる。
クリップ情報ファイルに対応付けられた画像データ中にタイプ２，３のＶＲ画像が含まれる。
クリップ情報ファイルに対応付けられた画像データ中にタイプ１，２，３のＶＲ画像が含まれる。
また、ＶＲ画像タイプが４つ以上の場合も同様であり、画像タイプの組み合わせをすべて識別可能としたビット値を設定する構成とすることが可能である。
【０１３７】
クリップ情報ファイルにはこのＶＲ識別情報が記録され、クリップ情報を利用して画像再生を行なう場合、この情報を参照し、参照情報から得られる画像特性等に応じた適正な再生処理を行なうことができる。
【０１３８】
［３−６．クリップ情報ファイルのストリーム符号化情報記録フィールドにＶＲ識別情報を記録した例について］
次に、クリップ情報ファイルのストリーム符号化情報記録フィールドにＶＲ識別情報を記録した例について説明する。
【０１３９】
図２４は、クリップ情報ファイルのデータ構成（シンタックス）を示す図である。
図２４に示すように、クリップ情報ファイルには、以下の実体データ記録フィールドが設定される。
（１）クリップストリームタイプ情報や、アプリケーションタイプ情報等のクリップの属性情報が記録されるクリップ情報記録フィールド［ＣｌｉｐＩｎｆｏ（）］１４５、
（２）主に再生処理における時間管理情報などのシーケンス情報を記録するシーケンス情報記録フィールド［ＳｅｑｕｅｎｃｅＩｎｆｏ（）］１４６、
（３）プログラムマップテーブルの識別情報、プログラムストリーム中のストリーム数などのプログラム情報を記録するプログラム情報記録フィールド［ＰｒｏｇｒａｍＩｎｆｏ（）］１４７、
（４）様々な拡張データを記録可能な拡張データ記録フィールドである［ＥｘｔｅｎｓｉｏｎＤａｔａ（）］１４８、
【０１４０】
以下に説明する例は、クリップ情報ファイルに含まれるプログラム情報を記録するプログラム情報記録フィールド［ＰｒｏｇｒａｍＩｎｆｏ（）］１４７にＶＲ識別情報を記録した例である。
【０１４１】
クリップ情報ファイルに含まれるプログラム情報記録フィールド［ＰｒｏｇｒａｍＩｎｆｏ（）］１４７のデータ構成を示すシンタックス図を図２５に示す。
図２５に示すプログラム情報記録フィールド［ＰｒｏｇｒａｍＩｎｆｏ（）］は、クリップ情報ファイルに予め設定されたプログラム情報記録フィールド［ＰｒｏｇｒａｍＩｎｆｏ（）］である。
この中のストリーム符号化情報記録フィールド［ＳｔｒｅａｍＣｏｄｉｎｇＩｎｆｏ（）］１４９に、ＶＲ識別情報を記録する。
【０１４２】
ストリーム符号化情報記録フィールド［ＳｔｒｅａｍＣｏｄｉｎｇＩｎｆｏ（）］１４９は、クリップ情報ファイル内のプログラム情報記録フィールド［ＰｒｏｇｒａｍＩｎｆｏ（）］に設定されたストリーム符号化態様［Ｓｔｒｅａｍ＿ｃｏｄｉｎｇ＿ｔｙｐｅ］単位の画像属性情報を記録するフィールドである。
【０１４３】
ストリーム符号化情報記録フィールド［ＳｔｒｅａｍＣｏｄｉｎｇＩｎｆｏ（）］１４９の具体的データ構成について、図２６を参照して説明する。
【０１４４】
図２６（ａ）は、図２５に示すストリーム符号化情報記録フィールド［ＳｔｒｅａｍＣｏｄｉｎｇＩｎｆｏ（）］１４９の詳細構成を示す図である。すなわち、クリップ情報ファイルに記録されるＶＲ識別情報の具体的なデータ記録例を示している。
【０１４５】
図２６（ａ）に示すようにストリーム符号化情報記録フィールド［ＳｔｒｅａｍＣｏｄｉｎｇＩｎｆｏ（）］１４９には、以下のデータ記録領域が設定される。
（１）ＶＲ画像タイプ情報（ＶＲ＿ｔｙｐｅ）記録領域１５０、
【０１４６】
（１）ＶＲ画像タイプ情報（ＶＲ＿ｔｙｐｅ）記録領域１５０の記録データ例を図２６（ｂ）に示す。
ＶＲ画像タイプ情報（ＶＲ＿ｔｙｐｅ）記録領域１５０には、このクリップ情報ファイルに対応付けられた再生対象画像データの種類を示すビット値が記録される。
このＶＲ画像タイプ情報（ＶＲ＿ｔｙｐｅ）記録領域１５０は、例えば、８ビットデータである。
【０１４７】
図２６（ｂ）に示すように、ＶＲ画像タイプ情報（ＶＲ＿ｔｙｐｅ）記録領域１５０に記録されたビット値に応じて、このクリップ情報ファイルに対応付けられた再生対象画像データの種類を、以下のように識別することができる。
【０１４８】
ＶＲ画像タイプ情報（ＶＲ＿ｔｙｐｅ）のビット値＝０：このクリップ情報ファイルに対応付けられた画像データ中にはＶＲ画像は含まれず、非ＶＲ画像のみから構成される。
ＶＲ画像タイプ情報（ＶＲ＿ｔｙｐｅ）のビット値＝１：このクリップ情報ファイルに対応付けられた画像データ中にタイプ１のＶＲ画像が含まれる。
ＶＲ画像タイプ情報（ＶＲ＿ｔｙｐｅ）のビット値＝２：このクリップ情報ファイルに対応付けられた画像データ中にタイプ２のＶＲ画像が含まれる。
ＶＲ画像タイプ情報（ＶＲ＿ｔｙｐｅ）のビット値＝３：このクリップ情報ファイルに対応付けられた画像データ中にタイプ３のＶＲ画像が含まれる。
【０１４９】
なお、さらに、他のビット値設定として、以下のような情報を示すビット値を設定してもよい。
クリップ情報ファイルに対応付けられた画像データ中にタイプ１，２のＶＲ画像が含まれる。
クリップ情報ファイルに対応付けられた画像データ中にタイプ１，３のＶＲ画像が含まれる。
クリップ情報ファイルに対応付けられた画像データ中にタイプ２，３のＶＲ画像が含まれる。
クリップ情報ファイルに対応付けられた画像データ中にタイプ１，２，３のＶＲ画像が含まれる。
また、ＶＲ画像タイプが４つ以上の場合も同様であり、画像タイプの組み合わせをすべて識別可能としたビット値を設定する構成とすることが可能である。
【０１５０】
クリップ情報ファイルにはこのＶＲ識別情報が記録され、クリップ情報を利用して画像再生を行なう場合、この情報を参照し、参照情報から得られる画像特性等に応じた適正な再生処理を行なうことができる。
【０１５１】
［４．再生装置と表示装置間の情報入出力構成例について］
先に図４等を参照して説明したように、例えば、ＢＤ（Ｂｌｕ−ｒａｙ（登録商標）  Ｄｉｓｃ）等の情報記録媒体１０に記録された画像データを再生装置（ＢＤプレーヤ）２０が再生し、表示装置３０ａ〜３０ｄにおいて正常な画像表示を行うために必要な処理は、例えば以下の処理である。
（１）再生装置２０が、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかを確認すること。
（２）再生装置２０が、再生装置に接続された表示装置が表示可能な画像データの種類、すなわち、タイプ１のＶＲ画像，タイプ２のＶＲ画像，ＶＲ画像ではない非ＶＲ画像、これらのどのタイプの画像が表示可能であるかを確認すること。
（３）表示装置３０ａ〜３０ｄが、再生装置２０から入力するデータが、タイプ１のＶＲ画像，タイプ２のＶＲ画像，ＶＲ画像ではない非ＶＲ画像、これらのどのタイプの画像データであるかを確認すること。
【０１５２】
これら（１）〜（３）の確認処理を、再生装置２０から表示装置３０ａ〜３０ｄに対する画像データの出力前に実行することで、各画像タイプに応じた正常な、再生、表示処理が可能となる。
【０１５３】
上記（１）の処理は、再生装置が、上述した情報記録媒体に記録されたＶＲ識別情報、すなわち、インデックスファイル、プレイリストファイル、クリップ情報ファイル等のデータベースファイルに記録されたＶＲ識別情報を参照することで実現される。
【０１５４】
一方、上記の（２），（３）の確認処理を行なうためには、再生装置と表示装置間で、情報を入出力する必要がある。
以下、この処理について説明する。
【０１５５】
図２７には、ＢＤ等の情報記録媒体１０を装着した再生装置２０と、再生装置２０の再生データを表示するテレビ等の表示装置３０を示している。
再生装置２０と表示装置３０は、例えばＨＤＭＩ（登録商標）ケーブル等によって接続され、相互に様々なデータを送受信することができる。
なお、再生装置２０と表示装置３０との接続構成はＨＤＭＩ（登録商標）ケーブルに限らず、その他の様々な接続構成が可能である。例えば無線ネットワークを介した通信を行う構成等としてもよい。
【０１５６】
再生装置２０と表示装置３０の通信接続が確立されると、表示装置３０は、再生装置２０に対して、表示装置の機能情報等を出力する。
具体的には、図２７に示すように、例えばＨＤＭＩ（登録商標）規定のＥＤＩＤ（Ｅｘｔｅｎｄｅｄ  Ｄｉｓｐｌａｙ  Ｉｄｅｎｔｉｆｉｃａｔｉｏｎ  Ｄａｔａ）２０１を出力する。
このＥＤＩＤには、表示装置３０がどのようなタイプの画像を出力可能であるか等の表示装置機能情報が含まれる。
【０１５７】
再生装置２０は、表示装置３０から受信した表示装置機能情報を記憶部に格納する。具体的には、例えばＰＳＲ（Ｐｌａｙｅｒ  Ｓｔａｔｕｓ  Ｒｅｓｉｓｔｅｒ）に、格納する。
【０１５８】
一方、再生装置２０は、情報記録媒体１０に格納されたコンテンツの再生処理に際して、再生処理データに関する再生データ情報を図２７に示すインフォフレーム（ｉｎｆｏ  ｆｒａｍｅ）に格納して表示装置３０に通知する。
【０１５９】
以下、表示装置３０が再生装置２０に送信する表示装置情報であるＥＤＩＤ２０１と、再生装置２０が表示装置３０に送信する再生データ情報を格納したインフォフレーム２０２の具体的構成例について、順次、説明する。
【０１６０】
［４−１．表示装置が再生装置に送信する表示装置情報について］
まず、図２８以下を参照して表示装置３０が再生装置２０に送信する表示装置情報について説明する。
【０１６１】
図２８は、表示装置３０が再生装置２０に送信する表示装置機能情報であるＥＤＩＤ（Ｅｘｔｅｎｄｅｄ  Ｄｉｓｐｌａｙ  Ｉｄｅｎｔｉｆｉｃａｔｉｏｎ  Ｄａｔａ）のデータ構成例を示す図である。
ＥＤＩＤとは、規格化団体であるＣＥＡ（Ｃｏｎｓｕｍｅｒ  Ｅｌｅｃｔｒｏｎｉｃｓ  Ａｓｓｏｃｉａｔｉｏｎ）の規格であるＣＥＡ８６１によって定義される２５６バイトのデータブロックである。
【０１６２】
表示装置３０は、ＥＤＩＤに、表示装置３０が、どのタイプの画像データ（非ＶＲ画像／タイプ１のＶＲ画像／タイプ２のＶＲ画像）を再生可能であるかを示すＶＲ画像再生機能情報（ＶＲ  ｔｙｐｅ  Ｄａｔａ  ｂｌｏｃｋ）２２１を格納して、再生装置２０に送信する。
例えば、図２８に示すようにＥＤＩＤ中の、ＥＤＩＤタグコード［０ｘ８］の項目にＶＲ画像再生機能情報（ＶＲ  ｔｙｐｅ  Ｄａｔａ  ｂｌｏｃｋ）２２１を格納して、再生装置２０に送信する。
【０１６３】
ＶＲ画像再生機能情報（ＶＲ  ｔｙｐｅ  Ｄａｔａ  ｂｌｏｃｋ）２２１の具体例を図２９に示す。
ＶＲ画像再生機能情報（ＶＲ  ｔｙｐｅ  Ｄａｔａ  ｂｌｏｃｋ）２２１は、例えば図２９に示す８ビットデータによって構成される。
【０１６４】
図２９（ａ）に示すように、ＶＲ画像再生機能情報を構成する８ビット（ｂｉｔ０〜ｂｉｔ７）中の全ｂｉｔ＝０の設定の場合、表示装置３０がＶＲ画像の再生機能を有さないＶＲ画像非対応の表示装置であることを示す。
また、図２９（ｂ）に示すように、ＶＲ画像再生機能情報を構成する８ビット（ｂｉｔ０〜ｂｉｔ７）中のｂｉｔ０＝１の設定の場合、表示装置３０がタイプ１のＶＲ画像の再生機能を有することを示す。
また、図２９（ｃ）に示すように、ＶＲ画像再生機能情報を構成する８ビット（ｂｉｔ０〜ｂｉｔ７）中のｂｉｔ１＝１の設定の場合、表示装置３０がタイプ２のＶＲ画像の再生機能を有することを示す。
また、図２９（ｄ）に示すように、ＶＲ画像再生機能情報を構成する８ビット（ｂｉｔ０〜ｂｉｔ７）中のｂｉｔ０＝１、ｂｉｔ１＝１の設定の場合、表示装置３０がタイプ１のＶＲ画像、およびタイプ２のＶＲ画像双方の再生機能を有することを示す。
【０１６５】
再生装置２０は、このＶＲ画像再生機能情報を含むＥＤＩＤを表示装置３０から受信すると、受信ＥＤＩＤに含まれるデータを記憶部（ＰＳＲ：プレーヤステータスレジスタ）に格納する。
【０１６６】
再生装置２０の記憶部（ＰＳＲ３３）に格納される表示装置機能情報の例を図３０に示す。
再生装置２０は、記憶部の一部領域、例えば３２ビットデータの記録領域を有するＰＳＲ３３に表示装置機能情報を格納する。
データ記録領域である３２ビット領域の下位２ビット（ｂｉｔ１，ｂｉｔ０）に、表示装置の表示機能に応じたビット値を格納する。
【０１６７】
例えば、図３０に示すように、ビット値の設定と、表示装置の機能との対応関係は以下の通りである。
（ａ）（ｂｉｔ１，ｂｉｔ０）＝（０，０）：表示装置はＶＲ画像の表示機能を有していない。
（ｂ）（ｂｉｔ１，ｂｉｔ０）＝（０，１）：表示装置はタイプ１のＶＲ画像のみの表示機能を有する。
（ｃ）（ｂｉｔ１，ｂｉｔ０）＝（１，０）：表示装置はタイプ２のＶＲ画像のみの表示機能を有していない。
（ｄ）（ｂｉｔ１，ｂｉｔ０）＝（１，１）：表示装置はタイプ１のＶＲ画像，およびタイプ２のＶＲ画像の表示機能を有する。
【０１６８】
再生装置２０は表示装置３０から受信したＥＤＩＤに基づいて、図３０に示すように記憶部（ＰＳＲ３３）に表示装置の表示機能情報を格納する。
再生装置２０は、この記憶部格納情報を参照することで、再生装置２０に接続された表示装置３０の表示機能、すなわち表示可能画像がタイプ１のＶＲ画像であるか、タイプ２のＶＲ画像であるか、ＶＲ画像ではない非ＶＲのみであるかを判別することが可能となる。
【０１６９】
なお、ここでは、表示装置３０が再生装置２０に送信する表示装置情報をＥＤＩＤとした例について説明したが、その他の形式を持つデータを送受信して表示装置情報を送信する構成としてもよい。例えば無線通信パケットに表示装置情報を格納して送信する構成等が可能である。
【０１７０】
さらに、再生装置２０は、再生装置自身の有する画像変換機能情報についても再生装置２０の記憶部（ＰＳＲ３２）に格納する。
再生装置２０の画像変換機能について図３１を参照して説明する。
図３１は、再生装置２０の装着した情報記録媒体に格納された画像データがタイプ１のＶＲ画像である場合の例を示している。
【０１７１】
再生装置２０は、情報記録媒体に記録されたＶＲ識別情報に基づいて、再生対象となる画像データがタイプ１のＶＲ画像であることを確認する。
また、再生装置２０は、再生装置２０に接続された表示装置３０から受信した表示装置機能情報（ＥＤＩＤ）に基づいて、表示装置３０が、ＶＲ画像表示機能を有していないことを確認したものとする。
【０１７２】
この場合、再生装置２０は、タイプ１のＶＲ画像を表示装置３０に出力しても、表示装置３０はタイプ１のＶＲ画像を表示することができない。
再生装置２０は、このような状況において、情報記録媒体から読み出したタイプ１のＶＲ画像を非ＶＲ画像に変換する。
図３１（１）に示すように、ＶＲ画像から非ＶＲ画像への変換処理を実行する。
この画像変換処理によって生成した非ＶＲ画像２２５を再生装置３０に出力する。
この処理の結果、表示装置３０は、非ＶＲ画像２３１を表示することが可能となる。
【０１７３】
しかし、このような処理を行なうことができるのは、ＶＲ画像を非ＶＲ画像に変換する画像変換機能を有する再生装置に限られる。
この画像変換機能は、再生装置ごとに異なり、例えばタイプ１のＶＲ画像のみ非ＶＲ画像に変換することができる再生装置や、タイプ２のＶＲ画像のみ非ＶＲ画像に変換することができる再生装置等が存在することが想定される。
【０１７４】
再生装置２０は、再生装置２０の有する画像変換機能の情報を記憶部（ＰＳＲ）に格納する。再生装置２０は、必要に応じて記憶部格納情報を参照し、接続された表示装置の表示機能に応じた画像変換が可能か否かを確認し、可能であることが確認された場合に、画像変換を実行し、変換画像を表示装置３０に出力する。
【０１７５】
再生装置２０の記憶部（ＰＳＲ３２）に格納される再生装置画像変換機能情報の例を図３２に示す。
再生装置２０は、記憶部の一部領域、例えば３２ビットデータの記録領域を有するＰＳＲ３２に再生装置画像変換機能情報を格納する。
データ記録領域である３２ビット領域の下位２ビット（ｂｉｔ１，ｂｉｔ０）に、再生装置の画像変換機能に応じたビット値を格納する。
【０１７６】
例えば、図３２に示すように、ビット値の設定と、再生装置の画像変換機能との対応関係は以下の通りである。
（ａ）（ｂｉｔ１，ｂｉｔ０）＝（０，０）：再生装置はＶＲ画像の変換機能を有していない。
（ｂ）（ｂｉｔ１，ｂｉｔ０）＝（０，１）：再生装置はタイプ１のＶＲ画像のみ非ＶＲ画像に変換する変換機能を有する。
（ｃ）（ｂｉｔ１，ｂｉｔ０）＝（１，０）：再生装置はタイプ２のＶＲ画像のみ非ＶＲ画像に変換する変換機能を有する。
（ｄ）（ｂｉｔ１，ｂｉｔ０）＝（１，１）：再生装置はタイプ１のＶＲ画像と、タイプ２のＶＲ画像を非ＶＲ画像に変換する変換機能を有する。
【０１７７】
再生装置２０はこの記憶部格納情報に基づいて、再生装置２０の有する画像変換機能を確認することが可能となる。
再生装置２０に接続された表示装置３０がＶＲ画像ではない非ＶＲのみ表示可能な表示装置である場合、再生装置は、再生対象となるＶＲ画像のタイプと、記憶部（ＰＳＲ３２）に格納された再生装置画像変換機能を比較し、変換可能であることが確認された場合には、画像変換機能を実行し、ＶＲ画像を非ＶＲ画像に変換して表示装置３０に出力することができる。
【０１７８】
［４−２．再生装置が表示装置に送信する再生データ情報について］
次に、図２７に示す再生装置２０が表示装置３０に送信する再生データ情報であるインフォフレーム２０２の具体的構成例について説明する。
【０１７９】
図３３は、再生装置２０が表示装置３０に送信するインフォフレーム２０２の具体的データ構成例を示す図である。
図３３（ａ）に示すように、インフォフレーム２０２には、複数のフィールドが設けられ、各フィールド単位で記録された様々な情報が再生装置２０から表示装置３０に提供される。
この情報は、表示装置３０が、再生装置２０から入力する再生コンテンツの表示処理等に適用するための再生データ情報である。
【０１８０】
データバイト１（ＤＡＴＡ  ＢＹＴＥ１）フィールド２３１には、再生画像データのＶＲ画像タイプ情報（ＶＲ＿ｔｙｐｅ）２３１が記録される。
【０１８１】
図３３（ｂ）に示すように、ＶＲ画像タイプ情報（ＶＲ＿ｔｙｐｅ）２３１に記録されたビット値に応じて、再生画像データの種類を、以下のように識別することができる。
【０１８２】
ＶＲ画像タイプ情報（ＶＲ＿ｔｙｐｅ）のビット値＝０：再生データ中にはＶＲ画像は含まれず、非ＶＲ画像のみから構成される。
ＶＲ画像タイプ情報（ＶＲ＿ｔｙｐｅ）のビット値＝１：再生データ中にタイプ１のＶＲ画像が含まれる。
ＶＲ画像タイプ情報（ＶＲ＿ｔｙｐｅ）のビット値＝２：再生データ中にタイプ２のＶＲ画像が含まれる。
ＶＲ画像タイプ情報（ＶＲ＿ｔｙｐｅ）のビット値＝３：再生データ中にタイプ３のＶＲ画像が含まれる。
【０１８３】
なお、さらに、他のビット値設定として、以下のような情報を示すビット値を設定してもよい。
再生データ中にタイプ１，２のＶＲ画像が含まれる。
再生データ中にタイプ１，３のＶＲ画像が含まれる。
再生データ中にタイプ２，３のＶＲ画像が含まれる。
再生データ中にタイプ１，２，３のＶＲ画像が含まれる。
また、ＶＲ画像タイプが４つ以上の場合も同様であり、画像タイプの組み合わせをすべて識別可能としたビット値を設定する構成とすることが可能である。
【０１８４】
表示装置３０は、インフォフレーム２０２に格納されたデータを参照することで、再生装置２０から入力するコンテンツに対して、コンテンツ種類（非ＶＲ画像／タイプ１のＶＲ画像／タイプ２のＶＲ画像）に応じた適切な処理を行なうことが可能となり、適切な画像表示を実行することができる。
【０１８５】
［５．情報記録媒体に対するデータ記録処理を実行する情報処理装置の構成と処理について］
次に、図３４、図３５を参照して情報記録媒体に対するデータ記録処理を実行する情報処理装置の構成と処理について説明する。
【０１８６】
先に図４を参照して説明したように、図４に示す表示装置３０において画像の正常な表示を実現するためには、再生装置２０が、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかを確認することが必要である。
【０１８７】
この確認処理を可能とするために、前述したように、画像データ等の管理情報や、属性情報、あるいは再生制御情報を格納したデータファイル中にＶＲ識別情報等を記録する。
情報記録媒体がＢＤ（Ｂｌｕ−ｒａｙ（登録商標）  Ｄｉｓｃ）である場合、ＢＤフォーマットにおいて規定されるインデックスファイル、プレイリストファイル、クリップ情報ファイル等のデータベースファイルにＶＲ識別情報等を記録する。
【０１８８】
以下、このようなＶＲ識別情報を記録した情報記録媒体の生成処理、具体的には、ＢＤ等の情報記録媒体に対するデータ記録処理を実行する情報処理装置の構成と、処理シーケンスについて説明する。
【０１８９】
図３４は、ＢＤ等の情報記録媒体に対するデータ記録処理を実行する情報処理装置３００の構成を示す図である。
情報処理装置３００は、図３４に示す情報記録媒体（記録メディア）３２０に、タイプ１のＶＲ画像、またはタイプ２のＶＲ画像、またはＶＲ画像ではない非ＶＲ画像等の画像ファイルを格納したストリームファイル（クリップＡＶストリームファイル）を記録し、さらに先に説明したＶＲ識別情報等を格納したインデックスファイル、プレイリストファイル、クリップ情報ファイル等のデータベースファイルを記録し、ＢＤフォーマットに従ったデータ記録ディスクを生成する。
【０１９０】
データ入力部３０１は、情報記録媒体３２０に対する記録用データ３３１、すなわち画像データ、音声データ、字幕データ等の記録用データ３３１を入力する。これらの記録用データ３３１はコンテンツ製作者によって制作されたデータであり、例えば１つのメディア、あるいは個別の複数メディアに記録され、メディアを介して情報処理装置３００に入力される。あるいは、ネットワーク等を介して入力する構成としてもよい。
【０１９１】
記録用データ３３１は、制御部３０３の制御によって、記憶部３０４に格納され、その後、多重化処理部３０５に入力される。
【０１９２】
多重化処理部３０５は、字幕データ取得部３１１、画像データ取得部３１２、音声データ取得部３１３、およびマルチプレクサ（ＭＵＸ）３１４を有する。
字幕データ取得部３１１は、データ入力部３０１が入力し、記憶部３０４に格納された記録用データ３３１から、字幕データを取得する。
画像データ取得部３１２は、データ入力部３０１が入力し、記憶部３０４に格納された記録用データ３３１から、画像データを取得する。
音声データ取得部３１３は、データ入力部３０１が入力し、記憶部３０４に格納された記録用データ３３１から、音声データを取得する。
【０１９３】
マルチプレクサ（ＭＵＸ）３１４は、字幕データ取得部３１１、画像データ取得部３１２、音声データ取得部３１３の取得した字幕、画像、音声各データを入力し、これらのデータを格納したトランスポートストリームファイル（ＴＳファイル）を生成する。具体的には、例えば、先に図５等を参照して説明したクリップＡＶストリームファイルである。
このクリップＡＶストリームファイルが、制御部３０３の制御の下、記録部３０６によって、ドライブ３０７を介して情報記録媒体３２０に出力され、記録される。
クリップＡＶストリームファイルは、図３４に示す記録データ３３２の構成データである。
【０１９４】
ユーザ入力部３０２は、例えば情報記録媒体３２０に対するデータ記録の開始要求等を入力する。
さらに、記録データの種類、具体的には、ＶＲ画像ではない非ＶＲ画像、タイプ１のＶＲ画像、タイプ２のＶＲ画像等が含まれるか否か等の情報を入力する。
制御部４０１は、これらの入力情報に基づいて、情報記録媒体５２０に記録するための管理データや再生制御情報ファイルを生成する。具体的には、前述したＶＲ識別情報を記録したインデックスファイル、プレイリストファイル、クリップ情報ファイル等のデータベースファイルを含む記録データ３３２を生成する。
【０１９５】
ＶＲ識別情報を記録したインデックスファイル、プレイリストファイル、クリップ情報ファイル等のデータベースファイルを含む記録データ３３２は、制御部３０３の制御の下、記録部３０６によって、ドライブ３０７を介して情報記録媒体３２０に出力され、記録される。
【０１９６】
なお、記録データの種類、具体的には、ＶＲ画像ではない非ＶＲ画像、タイプ１のＶＲ画像、タイプ２のＶＲ画像等が含まれるか否か等の情報について、ユーザ入力部３０２を介して入力する例を説明したが、これらの情報は、制御部３０３が、例えば、データ入力部３０１から入力する記録用データ３３１に併せて入力されるメタデータから取得する構成としてもよい。
あるいは、制御部３０３が、データ入力部３０１から入力する記録用データ３３１を解析して、画像種類情報を取得する構成としてもよい。
【０１９７】
次に、図３４に示す情報処理装置３００が実行する情報記録媒体３２０に対するデータ記録処理のシーケンスについて、図３５に示すフローチャートを参照して説明する。
【０１９８】
図３５に示すフローに従った処理は、例えば情報処理装置の記憶部に格納されたプログラムに従って、プログラム実行機能を有するＣＰＵを備えたデータ処理部（制御部）の制御の下で実行することができる。
以下、図３５のフローに示す各ステップの処理について、順次、説明する。
【０１９９】
（ステップＳ１０１）
まず、情報処理装置３００は、ステップＳ１０１において、データ入力部３０１を介して記録用データを入力する。
記録用データには画像データ、音声データ、字幕データ等が含まれる。
画像データは例えばＶＲ画像ではない非ＶＲ画像、タイプ１のＶＲ画像、タイプ２のＶＲ画像等によって構成される。
【０２００】
（ステップＳ１０２）
次に、ステップＳ１０２において、制御部３０３は、ユーザ入力部３０２から入力される画像タイプ情報を検出する。
すなわち、記録データの画像タイプが、タイプ１のＶＲ画像，タイプ２のＶＲ画像，ＶＲ画像ではない非ＶＲのいずれを含むものであるかを検出する。
なお、前述したように画像タイプ情報は、メタデータから取得してもよいし、入力画像データを解析して取得する構成としてもよい。
【０２０１】
（ステップＳ１０３）
次に、ステップＳ１０３において、記録データとしての画像、音声、字幕各データの多重化処理［ＴＳ（トランスポートストリーム）生成処理］を実行する。
これは、図３４に示す多重化処理部３０５において実行する処理である。
【０２０２】
多重化処理部３０５のマルチプレクサ（ＭＵＸ）３１４は、字幕データ取得部３１１、画像データ取得部３１２、音声データ取得部３１３の取得した字幕、画像、音声各データを入力し、これらのデータを格納したトランスポートストリームファイル（ＴＳファイル）を生成する。具体的には、例えば、先に図５等を参照して説明したクリップＡＶストリームファイルである。
【０２０３】
（ステップＳ１０４）
ステップＳ１０４において、制御部３０３は、全ての記録データの多重化処理が終了したか否かを判定する。未処理データがある場合は、ステップＳ１０１からの処理を繰り返す。
全ての記録データの多重化処理が終了したと判定するとステップＳ１０５に進む。
【０２０４】
（ステップＳ１０５）
次に、ステップＳ１０５において、制御部３０３は、生成したＴＳ（トランスポートストリーム）に対応するクリップ情報ファイルを生成し、クリップ情報ファイルにＶＲ識別情報等を記録する。
具体的には、例えば、先に図２１〜図２６を参照して説明したＶＲ識別情報等を記録したクリップ情報ファイルを生成する。
【０２０５】
（ステップＳ１０６）
ステップＳ１０６において、制御部３０３は、全てのクリップ情報ファイルの生成処理が完了したか否かを判定する。完了していない場合は、ステップＳ１０５の処理を繰り返す。
全てのクリップ情報ファイルの生成処理が完了したと判定するとステップＳ１０７に進む。
【０２０６】
（ステップＳ１０７）
次に、ステップＳ１０７において、制御部３０３は、生成したＴＳ（トランスポートストリーム）の再生制御情報ファイルであるプレイリストファイルを生成し、プレイリストファイルにＶＲ識別情報等を記録する。
具体的には、例えば、先に図１２〜図２０を参照して説明したＶＲ識別情報等を記録したプレイリストファイルを生成する。
【０２０７】
（ステップＳ１０８）
次に、ステップＳ１０８において、制御部３０３は、全てのプレイリストファイルの生成処理が完了したか否かを判定する。完了していない場合は、ステップＳ１０７の処理を繰り返す。
全てのプレイリストファイルの生成処理が完了したと判定するとステップＳ１０９に進む。
【０２０８】
（ステップＳ１０９）
次に、ステップＳ１０９において、制御部３０３は、生成したプレイリストファイルに記録されたＶＲ識別情報を参照して、情報記録媒体の全記録データ対応のＶＲ識別情報を生成し、生成したＶＲ識別情報を記録したインデックスファイルを生成する。
具体的には、例えば、先に図８〜図１１を参照して説明したＶＲ識別情報等を記録したインデックスファイルを生成する。
【０２０９】
（ステップＳ１１０）
次に、ステップＳ１１０において、制御部３０３は、生成したインデックスファイル、プレイリストファイル、クリップ情報ファイル等のデータベースファイル、およびＴＳファイル（クリップＡＶストリームファイル）を、情報記録媒体に記録する。
【０２１０】
図３４を参照して説明したように、制御部３０３の制御の下、記録部３０６によって、ドライブ３０７を介して情報記録媒体３２０に出力され、記録される。
【０２１１】
これらの一連の処理によって、ＶＲ識別情報等を記録したインデックスファイル、プレイリストファイル、クリップ情報ファイル等のデータベースファイルと、ＶＲ画像ではない非ＶＲ画像、またはタイプ１のＶＲ画像、またはタイプ２のＶＲ画像等のいずれかの画像データを格納したＴＳファイル（クリップＡＶストリームファイル）の記録された情報記録媒体が完成する。
【０２１２】
［６．情報記録媒体からのデータ再生処理を実行する情報処理装置の構成と処理について］
次に、図３６、図３７を参照して情報記録媒体からのデータ再生処理を実行する情報処理装置の構成と処理について説明する。
【０２１３】
先に図４を参照して説明したように、図４に示す表示装置３０において画像の正常な表示を実現するためには、再生装置２０は、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかを確認し、さらに、表示装置の表示機能情報を取得する処理等が必要である。
【０２１４】
本開示の再生装置２０は、装着した情報記録媒体（ＢＤ）１０に記録された画像データの種類、すなわち、タイプ１のＶＲ画像，タイプ２のＶＲ画像，ＶＲ画像ではない非ＶＲ画像、これらのどのタイプの画像が記録されているのかをインデックスファイル、プレイリストファイル、クリップ情報ファイル等のデータベースファイルに記録されたＶＲ識別情報等に基づいて確認する。
さらに、先に図２７を参照して説明したように、再生装置２０は、表示装置３０から、ＥＤＩＤ等の表示装置機能情報を入力し、さらに、表示装置３０に対して、インフォフレーム等の再生データ情報を出力する。
これらの処理を実行することで、表示装置３０において画像の正常な表示が実現される。
【０２１５】
以下、この正常な画像表示処理を実現する情報記録媒体再生装置である情報処理装置の構成と、処理シーケンスについて説明する。
【０２１６】
図３６は、ＢＤ等の情報記録媒体に記録されたデータの再生処理を実行する情報処理装置４００の構成を示す図である。
情報処理装置４００は、図３６に示す情報記録媒体（記録メディア）５１０に記録されたデータを読み取り、表示装置５２０に出力する。なお、表示装置２０は、例えばテレビ等であり、ディスプレイ、スピーカ等を備えた表示装置である。
【０２１７】
情報記録媒体（記録メディア）５１０は、例えば、ＢＤフォーマットに従ったデータを記録したディスクであり、画像、音声、字幕各データの多重化データであるクリップＡＶストリームファイル（＝トランスポートストリームファイル）の他、インデックススファイル、プレイリストファイル、クリップ情報ファイル等のデータベースファイル等が記録されている。
【０２１８】
クリップＡＶストリームファイルにはＶＲ画像ではない非ＶＲ画像、タイプ１のＶＲ画像、タイプ２のＶＲ画像、少なくともいずれかのタイプの画像から構成される画像データが格納されている。また、インデックススファイル、プレイリストファイル、クリップ情報ファイルの各々には、前述したＶＲ識別情報が記録されている。
【０２１９】
制御部４０１は、例えば、ユーザ入力部４０２からの再生指示情報の入力に基づいて、情報記録媒体５１０の記録データを、記録再生部４０４、ドライブ４０３を介して読み取り、データバッファとしての記憶部４０５に格納し、その格納データを再生処理部４０６に出力する。
【０２２０】
また、制御部４０１は、入出力インタフェース４０７を介して表示装置５２０との通信を実行する。
情報処理装置４００の制御部４０１は、例えば図２７〜図３３を参照して説明したＥＤＩＤ等の表示装置機能情報を表示装置５２０から受信する。
また、制御部４０１は、情報記録媒体５１０から読み出したインデックススファイル、プレイリストファイル、クリップ情報ファイル等のデータベースファイルに記録されたＶＲ識別情報を解析し、表示装置５２０における再生データの表示処理に必要となる再生データ情報をインフォフレームに格納して表示装置５２０に送信する。
【０２２１】
再生処理部４０６は、制御部４０１の制御の下、情報記録媒体５１０から読み出された再生データ、すなわち、画像、音声、字幕等の各データを格納したクリップＡＶストリームファイルから各データを取得して再生データを生成する。
【０２２２】
デマルチプレクサ（ＤｅＭＵＸ）４１１は、画像、音声、字幕等の各データを格納したクリップＡＶストリームファイルを構成するデータ格納パケットを取得し、データ種別のパケットに分類し、各パケットを、データ種類に応じて、字幕データ生成部４１２、画像データ生成部４１３、音声データ生成部４１４に出力する。
【０２２３】
字幕データ生成部４１２、画像データ生成部４１３、音声データ生成部４１４は、パケットに格納されたデータの復号処理等を実行し、復号データを出力データ生成部４１５に出力する。
出力データ生成部４１５は、字幕、画像、音声の各データを、入出力インタフェース４０７を介して表示装置５２０に出力する。
【０２２４】
なお、出力データ生成部４１５は、制御部４０１の制御の下、必要に応じて画像変換、例えばタイプ１のＶＲ画像をＶＲ画像ではない非ＶＲ画像に変換する処理を実行する。
具体的には、表示装置５２０がＶＲ画像ではない非ＶＲテレビである場合、タイプ１のＶＲ画像を出力すると、表示装置５２０では表示することができない。
このような場合、出力データ生成部４１５は、タイプ１のＶＲ画像をＶＲ画像ではない非ＶＲ画像に変換する処理を実行して生成してＶＲ画像ではない非ＶＲ画像データを表示装置５２０に出力する。
【０２２５】
表示装置５２０は、情報処理装置４００から入力する字幕、画像、音声等の各データを表示装置５２０の特性や機能に応じた出力データ生成処理、例えばＶＲ画像、または非ＶＲ画像等の出力画像生成処理を実行し、表示装置５２０の機能に応じた出力データを生成して出力する。
【０２２６】
なお、情報処理装置４００の制御部４０１は、表示装置５２０から受信する表示装置機能情報に応じて、再生処理部４０６において生成する再生データの制御を行う。
また、表示装置５２０から受信する表示装置機能情報が、情報記録媒体５１０のデータを再生できない、例えば表示できないことが明らかになった場合には、再生データ生成を実行することなく処理を停止する。なお、この場合、情報処理装置４００の制御部４０１は、表示装置５２０に対して再生不可であることを示す通知メッセージの出力処理を行なう構成としてもよい。
【０２２７】
次に、図３６に示す情報処理装置４００が実行する情報記録媒体５１０からのデータ再生処理のシーケンスについて、図３７に示すフローチャートを参照して説明する。
【０２２８】
図３７に示すフローに従った処理は、例えば情報処理装置４００の記憶部に格納されたプログラムに従って、プログラム実行機能を有するＣＰＵを備えたデータ処理部（制御部）の制御の下で実行することができる。
以下、図３７のフローに示す各ステップの処理について、順次、説明する。
【０２２９】
（ステップＳ２０１）
まず、情報処理装置４００は、ステップＳ２０１において、表示装置５２０から表示装置機能情報（ＥＤＩＤ）を入力し、記憶部（ＰＳＲ）に格納する。
【０２３０】
この処理は、先に図２７〜図３０を参照して説明した処理である。情報処理装置（再生装置）４００と表示装置５２０の通信接続が確立されると、表示装置５２０は、情報処理装置４００に対して、表示装置５２０の機能情報等を出力する。具体的には、図２７に示すように、例えばＨＤＭＩ（登録商標）規定のＥＤＩＤ（Ｅｘｔｅｎｄｅｄ  Ｄｉｓｐｌａｙ  Ｉｄｅｎｔｉｆｉｃａｔｉｏｎ  Ｄａｔａ）２０１を出力する。このＥＤＩＤには、表示装置５２０がどのようなタイプの画像を出力可能であるか等の表示装置機能情報が含まれる。
【０２３１】
表示装置機能情報は、図２９を参照して説明したように、例えば、表示装置５２０がタイプ１のＶＲ画像、タイプ２のＶＲ画像、ＶＲ画像ではない非ＶＲ画像、これらのどの画像の再生機能を有するかについての情報が含まれる。
情報処理装置４００は、表示装置５２０から受信した再生機能情報を記憶部（ＰＳＲ）に格納する。例えば図３０を参照して説明したように記憶部（ＰＳＲ）に格納する。
【０２３２】
（ステップＳ２０２）
次に、情報処理装置４００は、ステップＳ２０２において、情報記録媒体からインデックスファイルを取得する。
インデックスファイルには、例えば、先に図８〜図１１を参照して説明したＶＲ識別情報が記録されている。
【０２３３】
（ステップＳ２０３）
次に、情報処理装置４００は、ステップＳ２０３において、情報記録媒体５１０から読み出したインデックスファイルに記録されたＶＲ識別情報と、先のステップＳ２０１において表示装置５２０から受信した表示装置機能情報（ＥＤＩＤ）に基づいて、表示装置５２０の表示可能なＶＲ画像が、情報記録媒体５１０に記録されているか否かを判定する。
【０２３４】
表示装置５２０の表示可能なＶＲ画像が、情報記録媒体５１０に記録されていると判定した場合は、ステップＳ２０４に進み、表示装置５２０の表示可能なＶＲ画像が、情報記録媒体５１０に記録されていないと判定した場合は、ステップＳ２１１に進む。
【０２３５】
（ステップＳ２０４）
ステップＳ２０３の判定処理において、表示装置５２０の表示可能なＶＲ画像が、情報記録媒体５１０に記録されていると判定した場合は、ステップＳ２０４に進む。
ステップＳ２０４では、表示装置の表示可能なＶＲ画像の再生用プレイリストを選択取得する。
【０２３６】
表示装置の表示可能なＶＲ画像は、例えばタイプ１のＶＲ画像、またはタイプ２のＶＲ画像である。いずれが表示装置５２０において表示可能かについては、ステップＳ２０１において表示装置５２０から受信した表示装置機能情報によって確認済みである。
情報処理装置４００は、表示装置５２０において表示可能なＶＲ画像を格納したストリームファイルの再生制御情報であるプレイリストを選択取得する。。
【０２３７】
（ステップＳ２０５）
次に、情報処理装置４００は、ステップＳ２０５において、選択取得したプレイリストの格納データに基づいて、再生データ情報（インフォフレーム）を生成して、表示装置５２０に送信する。
【０２３８】
再生データ情報（インフォフレーム）は、先に図２７、図３３を参照して説明した再生データ情報（インフォフレーム）である。
図３３に示すように、インフォフレームには、複数のフィールドが設けられ、各フィールド単位で記録された様々な情報が情報処理装置（再生装置）４００から表示装置５２０に提供される。この情報は、表示装置５２０が、情報処理装置（再生装置）４００から入力する再生コンテンツの表示処理等に適用するための再生データ情報であり、例えば再生画像データの種類（非ＶＲ画像／タイプ１のＶＲ画像／タイプ２のＶＲ画像）情報が記録される。
【０２３９】
（ステップＳ２２１）
図３７に示す点線枠で示すステップ（ステップＳ２２１〜Ｓ２２３）の処理は表示装置５２０において実行する処理である。
表示装置５２０は、ステップＳ２２１において、情報処理装置４００から受信した再生データ情報（インフォフレーム）に基づいて、表示モードを設定し、設定した表示モードに従ってＶＲ画像を表示する。
【０２４０】
（ステップＳ２１１）
次に、ステップＳ２０３において、示装置５２０の表示可能なＶＲ画像が、情報記録媒体５１０に記録されていないと判定した場合に実行するステップＳ２１１以下の処理について説明する。
【０２４１】
情報処理装置４００は、ステップＳ２１１において、情報記録媒体５１０にＶＲ画像ではない非ＶＲ画像が記録されているか否かを判定する。
この判定処理は、ステップＳ２０２で情報記録媒体５１０から読み出したインデックスファイルのＶＲ識別情報に基づいて行われる。
情報記録媒体５１０にＶＲ画像ではない非ＶＲ画像が記録されていないことが確認された場合は、ステップＳ２１２に進む。
一方、情報記録媒体５１０にＶＲ画像ではない非ＶＲ画像が記録されていることが確認された場合は、ステップＳ２１５に進む。
【０２４２】
（ステップＳ２１２）
ステップＳ２１１の判定処理において、情報記録媒体５１０にＶＲ画像ではない非ＶＲ画像が記録されていないことが確認された場合は、ステップＳ２１２に進む。
情報処理装置４００は、ステップＳ２１２において、情報処理装置（再生装置）４００が、情報記録媒体５１０に記録された再生用ＶＲ画像を非ＶＲ画像に変換できるか否かを判定する。
これは、先に図３１〜図３２を参照して説明した情報処理装置（再生装置）４００の記憶部（ＰＳＲ３２）に格納された画像変換機能情報を参照して判定する。
【０２４３】
情報処理装置（再生装置）４００が、情報記録媒体５１０に記録された再生用ＶＲ画像を非ＶＲ画像に変換できることが確認された場合は、ステップＳ２１４に進む。
一方、情報処理装置（再生装置）４００が、情報記録媒体５１０に記録された再生用ＶＲ画像を非ＶＲ画像に変換できないことが確認された場合は、ステップＳ２１３に進む。
【０２４４】
（ステップＳ２１３）
ステップＳ２１２の判定処理において、情報処理装置（再生装置）４００が、情報記録媒体５１０に記録された再生用ＶＲ画像を非ＶＲ画像に変換できないことが確認された場合は、ステップＳ２１３に進む。
情報処理装置４００は、ステップＳ２１３において、表示可能な非ＶＲ画像がないことを通知するメッセーシを生成して表示装置５２０に出力する。
【０２４５】
（ステップＳ２２２）
ステップＳ２２２の処理は表示装置５２０の実行する処理である。
表示装置５２０は、ステップＳ２２２において、情報処理装置４００から入力した表示可能な非ＶＲ画像がないことを通知するメッセーシの出力（表示）処理を実行する。
【０２４６】
（ステップＳ２１４）
一方、ステップＳ２１２の判定処理において、情報記録媒体５１０に記録された再生用ＶＲ画像を非ＶＲ画像に変換できることが確認された場合は、ステップＳ２１４に進む。
この場合、情報処理装置４００は、ステップＳ２１４において、情報記録媒体５１０に記録された再生用ＶＲ画像を非ＶＲ画像に変換し、変換後の非ＶＲ画像を表示装置５２０に出力する。
【０２４７】
（ステップＳ２２３）
ステップＳ２２３の処理は表示装置５２０の実行する処理である。
表示装置５２０は、ステップＳ２２３において、情報処理装置４００から入力したＶＲ画像ではない非ＶＲ画像の表示処理を実行する。
【０２４８】
（ステップＳ２１５）
ステップＳ２１１において、情報記録媒体５１０にＶＲ画像ではない非ＶＲ画像が記録されていることが確認された場合には、ステップＳ２１５に進む。
情報処理装置４００は、ステップＳ２１５において、ＶＲ画像ではない非ＶＲ画像データを表示装置に出力する。
【０２４９】
（ステップＳ２２３）
ステップＳ２１５の処理の後も、表示装置５２０は、ステップＳ２２３の処理を実行する。
表示装置５２０は、ステップＳ２２３において、情報処理装置４００から入力したＶＲ画像ではない非ＶＲ画像の表示処理を実行する。
【０２５０】
［７．情報処理装置の構成例について］
次に、情報記録媒体に対するデータ記録、情報記録媒体からのデータ再生を実行する情報処理装置、情報記録媒体からの再生データを表示する表示装置、あるいは情報記録媒体製造装置として適用可能な情報処理装置のハードウェア構成例について、図３８を参照して説明する。
【０２５１】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０２５２】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０２５３】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０２５４】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０２５５】
［８．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２５６】
なお、本明細書において開示した技術は、以下のような構成をとることができる。
（１）  情報記録媒体の記録データの再生処理を実行するデータ処理部を有し、
前記データ処理部は、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理装置。
【０２５７】
（２）  前記表示装置情報は、
画像タイプの異なるタイプ１のＶＲ画像とタイプ２のＶＲ画像、さらに、ＶＲ画像ではない非ＶＲ画像各々についての表示機能を表示装置が有するか否かの情報を含む情報であり、
前記ＶＲ識別情報は、
前記情報記録媒体に、タイプ１のＶＲ画像、タイプ２のＶＲ画像、ＶＲ画像ではない非ＶＲ画像のいずれのタイプの画像データが記録されているかを示す情報を含む情報であり、
前記データ処理部は、
前記表示装置情報と、前記ＶＲ識別情報との対比結果に基づいて、前記表示装置に表示可能なＶＲ画像、またはＶＲ画像ではない非ＶＲ画像のいずれかを出力する（１）に記載の情報処理装置。
【０２５８】
（３）  前記データ処理部は、
前記表示装置情報に基づいて、前記表示装置がＶＲ画像ではない非ＶＲ画像のみ表示可能な表示装置であることが確認され、
前記ＶＲ識別情報に基づいて、情報記録媒体に記録された画像がＶＲ画像であることが確認された場合、
情報記録媒体から読み取ったＶＲ画像を非ＶＲ画像に変換して前記表示装置に出力する（１）または（２）に記載の情報処理装置。
【０２５９】
（４）  前記データ処理部は、
記憶部に格納された画像変換機能情報を参照して、情報記録媒体に記録されたＶＲ画像を非ＶＲ画像に変換可能か否かを確認し、変換可能であることが確認された場合に、情報記録媒体から読み取ったＶＲ画像を非ＶＲ画像に変換して前記表示装置に出力する（３）に記載の情報処理装置。
【０２６０】
（５）  前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである（１）〜（４）いずれかに記載の情報処理装置。
【０２６１】
（６）  前記データ処理部は、
前記情報記録媒体に記録された画像データの表示処理に適用する再生データ情報を前記表示装置に送信する構成であり、
前記再生データ情報には、再生画像データがタイプ１のＶＲ画像、タイプ２のＶＲ画像、ＶＲ画像ではない非ＶＲ画像のいずれのタイプの画像データであるかを示すＶＲ識別情報を含む（１）〜（５）いずれかに記載の情報処理装置。
【０２６２】
（７）  情報記録媒体に対するデータ記録を実行するデータ処理部を有し、
前記データ処理部は、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理装置。
【０２６３】
（８）  前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである（７）に記載の情報処理装置。
【０２６４】
（９）  前記データ処理部は、
インデックスファイルには、情報記録媒体の記録データ全体に関するＶＲ識別情報を記録し、
プレイリストファイルには、プレイリストファイルによる再生対象データ単位のＶＲ識別情報を記録し、
クリップ情報ファイルには、クリップ情報ファイルに対応付けられた再生データ単位のＶＲ識別情報を記録する（８）に記載の情報処理装置。
【０２６５】
（１０）  画像データを格納した再生データファイルと、
前記再生データファイルに格納された画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを記録データとして含み、
再生装置が、前記ＶＲ識別情報を参照して、再生データを表示する表示装置の表示機能に適合したタイプの画像データを選択再生することを可能とした情報記録媒体。
【０２６６】
（１１）  前記データベースファイルは、
Ｂｌｕ−ｒａｙ（登録商標）ディスク・フォーマットにおいて規定されるインデックスファイル、またはプレイリストファイル、またはクリップ情報ファイルのいずれかのデータファイルである（１０）に記載の情報記録媒体。
【０２６７】
（１２）  前記インデックスファイルは、情報記録媒体の記録データ全体に関するＶＲ識別情報を格納し、
前記プレイリストファイルは、プレイリストファイルによる再生対象データ単位のＶＲ識別情報を格納し、
クリップ情報ファイルは、クリップ情報ファイルに対応付けられた再生データ単位のＶＲ識別情報を格納した構成である（１１）に記載の情報記録媒体。
【０２６８】
（１３）  情報記録媒体の記録データの再生処理を実行する再生装置とのデータ送受信を実行する通信部と、
データ処理部を有し、
前記データ処理部は、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する表示装置。
【０２６９】
（１４）  前記表示装置情報は、
画像タイプの異なるタイプ１のＶＲ画像とタイプ２のＶＲ画像、さらに、ＶＲ画像ではない非ＶＲ画像各々についての表示機能を表示装置が有するか否かの情報を含む情報である（１３）に記載の表示装置。
【０２７０】
（１５）  情報処理装置において実行する情報処理方法であり、
前記情報処理装置は、情報記録媒体の記録データの再生処理を実行するデータ処理部を有し、
前記データ処理部が、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力し、
前記情報記録媒体に記録されたデータベースファイルから、情報記録媒体に記録された画像データにＶＲ画像が含まれるか否かを示すＶＲ識別情報を取得し、
前記表示装置情報と、前記ＶＲ識別情報との対比結果に基づいて、前記表示装置に表示可能な画像データを前記情報記録媒体から読み取り、前記表示装置に出力する情報処理方法。
【０２７１】
（１６）  情報処理装置において実行する情報処理方法であり、
前記情報処理装置は、情報記録媒体に対するデータ記録を実行するデータ処理部を有し、
前記データ処理部が、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する情報処理方法。
【０２７２】
（１７）  表示装置において実行する情報処理方法であり、
前記表示装置は、情報記録媒体の記録データの再生処理を実行する再生装置とのデータ送受信を実行する通信部と、
データ処理部を有し、
前記データ処理部が、
異なる方向の画像を選択的に表示可能としたＶＲ（Ｖｉｒｔｕａｌ  Ｒｅａｌｉｔｙ）画像の表示機能情報を含む表示装置情報を生成して、前記再生装置に出力する情報処理方法。
【０２７３】
（１８）  情報処理装置において情報処理を実行させるプログラムであり、
前記情報処理装置は、情報記録媒体の記録データの再生処理を実行するデータ処理部を有し、
前記プログラムは、前記データ処理部に、
前記情報記録媒体からの再生データの表示処理を行なう表示装置から、
異なる方向の画像を選択的に表示可能とした画像であるＶＲ（Ｖｉｒｔｕａｌ  Ｒｅａｌｉｔｙ）画像の表示機能情報を含む表示装置情報を入力する処理と、
前記情報記録媒体に記録されたデータベースファイルから、情報記録媒体に記録された画像データにＶＲ画像が含まれるか否かを示すＶＲ識別情報を取得する処理と、
前記表示装置情報と、前記ＶＲ識別情報との対比結果に基づいて、前記表示装置に表示可能な画像データを前記情報記録媒体から読み取り、前記表示装置に出力する処理を実行させるプログラム。
【０２７４】
（１９）  情報処理装置において情報処理を実行させるプログラムであり、
前記情報処理装置は、情報記録媒体に対するデータ記録を実行するデータ処理部を有し、
前記プログラムは、前記データ処理部に、
前記情報記録媒体の記録画像データとして、
異なる方向の画像を選択的に表示可能としたＶＲ（Ｖｉｒｔｕａｌ  Ｒｅａｌｉｔｙ）画像であるタイプ１のＶＲ画像、タイプ２のＶＲ画像、ＶＲ画像ではない非ＶＲ画像のいずれが含まれるかを示すＶＲ識別情報を格納したデータベースファイルを生成して情報記録媒体に記録する処理を実行させるプログラム。
【０２７５】
（２０）  表示装置において情報処理を実行させるプログラムであり、
前記表示装置は、情報記録媒体の記録データの再生処理を実行する再生装置とのデータ送受信を実行する通信部と、
データ処理部を有し、
前記プログラムは、前記データ処理部に、
異なる方向の画像を選択的に表示可能とした画像であるＶＲ（Ｖｉｒｔｕａｌ  Ｒｅａｌｉｔｙ）画像の表示機能情報を含む表示装置情報を生成して、前記再生装置に出力する処理を実行させるプログラム。
【０２７６】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２７７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２７８】
以上、説明したように、本開示の一実施例の構成によれば、情報記録媒体に格納された画像のタイプと、表示装置の表示機能情報に応じて、記録媒体から表示可能な画像を取得して表示装置に出力する。
具体的には、情報記録媒体からのデータ再生を実行するデータ処理部が、再生データ表示処理を行なう表示装置から、表示可能なＶＲ画像のタイプ情報等の画像表示機能情報を入力し、情報記録媒体に記録されたデータベースファイルから、情報記録媒体に、タイプ１のＶＲ画像、タイプ２のＶＲ画像、ＶＲ画像ではない非ＶＲ各画像のどの画像が含まれるか否かを示すＶＲ識別情報を取得し、取得した表示装置機能情報とＶＲ識別情報との対比結果に基づいて、表示装置において表示可能な画像データを情報記録媒体から読み取り、表示装置に出力する。
本構成により、情報記録媒体に格納された画像のタイプと、表示装置の表示機能情報に応じて、記録媒体から表示可能な画像を取得して表示装置に出力する構成が実現される。
【符号の説明】
【０２７９】
１  画像データ
２  携帯端末
３  スピーカ
５  ヘッド・マウント・ディスプレイ（ＨＭＤ）
６  スピーカ
１０  情報記録媒体（ディスク）
２０  再生装置
３０  表示装置
５１  管理情報設定部
５２  データ部
３００  情報処理装置
３０１  データ入力部
３０２  ユーザ入力部
３０３  制御部
３０４  記憶部
３０５  多重化処理部
３０６  記録部
３０７  ドライブ
３０８  情報記録媒体
３１１  字幕データ取得部
３１２  画像データ取得部
３１３  音声データ取得部
３１４  マルチプレクサ
４００  情報処理装置
４０１  制御部
４０２  ユーザ入力部
４０３  ドライブ
４０４  記録再生部
４０５  記憶部
４０６  再生処理部
４０７  入出力Ｉ／Ｆ
４１１  デマルチプレクサ
４１２  字幕データ生成部
４１３  画像データ生成部
４１４  音声データ生成部
４１５  出力データ生成部
５１０  情報記録媒体
５２０  表示装置
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2017145721.tif 000003
【図２】
2017145721.tif 000004
【図３】
2017145721.tif 000005
【図４】
2017145721.tif 000006
【図５】
2017145721.tif 000007
【図６】
2017145721.tif 000008
【図７】
2017145721.tif 000009
【図８】
2017145721.tif 000010
【図９】
2017145721.tif 000011
【図１０】
2017145721.tif 000012
【図１１】
2017145721.tif 000013
【図１２】
2017145721.tif 000014
【図１３】
2017145721.tif 000015
【図１４】
2017145721.tif 000016
【図１５】
2017145721.tif 000017
【図１６】
2017145721.tif 000018
【図１７】
2017145721.tif 000019
【図１８】
2017145721.tif 000020
【図１９】
2017145721.tif 000021
【図２０】
2017145721.tif 000022
【図２１】
2017145721.tif 000023
【図２２】
2017145721.tif 000024
【図２３】
2017145721.tif 000025
【図２４】
2017145721.tif 000026
【図２５】
2017145721.tif 000027
【図２６】
2017145721.tif 000028
【図２７】
2017145721.tif 000029
【図２８】
2017145721.tif 000030
【図２９】
2017145721.tif 000031
【図３０】
2017145721.tif 000032
【図３１】
2017145721.tif 000033
【図３２】
2017145721.tif 000034
【図３３】
2017145721.tif 000035
【図３４】
2017145721.tif 000036
【図３５】
2017145721.tif 000037
【図３６】
2017145721.tif 000038
【図３７】
2017145721.tif 000039
【図３８】
2017145721.tif 000040
【国際調査報告】
2017145721.tif 000041
2017145721.tif 000042
2017145721.tif 000043
2017145721.tif 000044